(57)【要約】【解決課題】溝状冷却水流路のシリンダボア側の壁面への密着性が高く、保温が必要な箇所を選択的に保温でき、且つ、各シリンダボアのボア壁の境界及びその近傍の上部の冷却効率が高い保温具を提供すること。【解決手段】各シリンダボアのボア壁毎に設置される各ボア壁保温部と、該保温具の設置位置の該溝状冷却水流路の形状に沿う形状を有し、該各ボア壁保温部が固定される支持部と、を有し、各ボア壁保温部は、ゴム部材と、背面押し付け部材と、弾性部材と、からなり、支持部ボア間部上部の少なくとも一箇所に、該支持部の背面側の冷却水が内側に通り抜けるための冷却水通過口が形成されており、該支持部は、該冷却水通過口近傍に、誘導壁を有し、支持部各ボア部の背面側に傾斜壁を有し、該各ボア壁保温部は、円弧方向の中央又は中央近傍のみが、該支持部に固定されていること、を特徴とするシリンダボア壁の保温具。【選択図】図５
2018131964.tif 000002
【特許請求の範囲】
【請求項１】
シリンダボアを有する内燃機関のシリンダブロックの溝状冷却水流路に設置され、周方向に見たときに、全シリンダボアのボア壁の周方向全部又は全シリンダボアのボア壁のうちの周方向の一部を保温するための保温具であり、
上から見たときに円弧形状を有し、該溝状冷却水流路のシリンダボア側の壁面を保温するための各ボア壁保温部と、該保温具の設置位置の該溝状冷却水流路の形状に沿う形状を有し、該各ボア壁保温部が固定される支持部と、を有し、
該各ボア壁保温部は、該溝状冷却水流路のシリンダボア側の壁面に接触し、該溝状冷却水流路のシリンダボア側の壁面を覆うためのゴム部材と、該ゴム部材の背面側に設けられ、該ゴム部材全体を背面側から該溝状冷却水流路のシリンダボア側の壁面に向かって押し付けるための背面押し付け部材と、該溝状冷却水流路のシリンダボア側の壁面に向かって、該背面押し付け部材が該ゴム部材を押し付けるように付勢する弾性部材と、を有し、
該各ボア壁保温部が固定される支持部各ボア部には、該弾性部材が該支持部の内側から背面側に抜けるための開口が形成されており、
支持部ボア間部の上部の少なくとも一箇所に、該支持部の背面側の冷却水が内側に通り抜けるための冷却水通過口が形成されており、
該支持部は、該冷却水通過口近傍に、該冷却水通過口に冷却水が流れ込むように冷却水を誘導する誘導壁を有し、該溝状冷却水流路に冷却水が供給される位置の支持部の背面側に、上り傾斜で延び、該冷却水通過口に向かう冷却水の流れを作る傾斜壁を有し、
該各ボア壁保温部は、円弧方向の中央又は中央近傍のみが、該支持部に固定されていること、
を特徴とするシリンダボア壁の保温具。
【請求項２】
シリンダボアを有する内燃機関のシリンダブロックの溝状冷却水流路に設置され、周方向に見たときに、全シリンダボアのボア壁の周方向全部又は全シリンダボアのボア壁のうちの周方向の一部を保温するための保温具であり、
上から見たときに円弧形状を有し、該溝状冷却水流路のシリンダボア側の壁面を保温するための各ボア壁保温部と、該保温具の設置位置の該溝状冷却水流路の形状に沿う形状を有し、該各ボア壁保温部が固定される支持部と、を有し、
該各ボア壁保温部は、該溝状冷却水流路のシリンダボア側の壁面に接触し、該溝状冷却水流路のシリンダボア側の壁面を覆うためのゴム部材と、該ゴム部材の背面側に設けられ、該ゴム部材全体を背面側から該溝状冷却水流路のシリンダボア側の壁面に向かって押し付けるための背面押し付け部材と、該溝状冷却水流路のシリンダボア側の壁面に向かって、該背面押し付け部材が該ゴム部材を押し付けるように付勢する弾性部材と、を有し、
該各ボア壁保温部が固定される支持部各ボア部には、該弾性部材が該支持部の内側から背面側に抜けるための開口が形成されており、
支持部ボア間部の上部の少なくとも一箇所に、該支持部の背面側の冷却水が内側に通り抜けるための冷却水通過口が形成されており、
該支持部は、該冷却水通過口近傍に、該冷却水通過口に冷却水が流れ込むように冷却水を誘導する誘導壁と、該誘導壁に向かって上り傾斜で延びる呼び込み壁と、を有し、
該各ボア壁保温部は、円弧方向の中央又は中央近傍のみが、該支持部に固定されていること、
を特徴とするシリンダボア壁の保温具。
【請求項３】
シリンダボアを有する内燃機関のシリンダブロックの溝状冷却水流路に設置され、周方向に見たときに、全シリンダボアのボア壁の周方向全部を保温するための保温具であり、
上から見たときに円弧形状を有し、該溝状冷却水流路のシリンダボア側の壁面を保温するための各ボア壁保温部と、該保温具の設置位置の該溝状冷却水流路の形状に沿う形状を有し、該各ボア壁保温部が固定される支持部と、を有し、
該各ボア壁保温部は、該溝状冷却水流路のシリンダボア側の壁面に接触し、該溝状冷却水流路のシリンダボア側の壁面を覆うためのゴム部材と、該ゴム部材の背面側に設けられ、該ゴム部材全体を背面側から該溝状冷却水流路のシリンダボア側の壁面に向かって押し付けるための背面押し付け部材と、該溝状冷却水流路のシリンダボア側の壁面に向かって、該背面押し付け部材が該ゴム部材を押し付けるように付勢する弾性部材と、を有し、
該各ボア壁保温部が固定される支持部各ボア部には、該弾性部材が該支持部の内側から背面側に抜けるための開口が形成されており、
冷却水の流れが強い方の片側半分の溝状冷却水流路に設置される支持部ボア間部の上部の少なくとも一箇所に、該支持部の背面側の冷却水が内側に通り抜けるための冷却水通過口が形成されており、
該冷却水の流れが強い方の片側半分の溝状冷却水流路に設置される支持部は、該冷却水通過口近傍に、該冷却水通過口に冷却水が流れ込むように冷却水を誘導する誘導壁を有し、該溝状冷却水流路に冷却水が供給される位置の支持部の背面側に、上り傾斜で延び、該冷却水通過口に向かう冷却水の流れを作る傾斜壁を有し、
冷却水の流れが強い方とは反対側の片側半分の溝状冷却水流路に設置される支持部ボア間部の上部の少なくとも一箇所に、該支持部の背面側の冷却水が内側に通り抜けるための冷却水通過口が形成されており、
該冷却水の流れが強い方とは反対側の片側半分の溝状冷却水流路に設置される支持部は、該冷却水通過口近傍に、該冷却水通過口に冷却水が流れ込むように冷却水を誘導する誘導壁と、該誘導壁に向かって上り傾斜で延びる呼び込み壁と、を有し、
該各ボア壁保温部は、円弧方向の中央又は中央近傍のみが、該支持部に固定されていること、
を特徴とするシリンダボア壁の保温具。
【請求項４】
前記ゴム部材が、感熱膨張ゴム又は水膨潤ゴムであることを特徴とする請求項１〜３いずれか１項記載のシリンダボア壁の保温具。
【請求項５】
シリンダブロックの溝状冷却水流路の全部又は一部に、請求項１〜３いずれか１項記載のシリンダボア壁の保温具が少なくとも１つ設置されていることを特徴とする内燃機関。
【請求項６】
シリンダブロックの溝状冷却水流路の一方の片側半分に、請求項１記載のシリンダボア壁の保温具が設置されており、且つ、シリンダブロックの溝状冷却水流路の他方の片側半分に、請求項２記載のシリンダボア壁の保温具が設置されていることを特徴とする内燃機関。
【請求項７】
請求項５又は６いずれか１項項記載の内燃機関を有することを特徴とする自動車。
【発明の詳細な説明】
【技術分野】
【０００１】
本発明は、内燃機関のシリンダブロックのシリンダボア壁の溝状冷却水流路側の壁面に接触させて配置される保温具及びそれを備える内燃機関並びに該内燃機関を有する自動車に関する。
【背景技術】
【０００２】
内燃機関では、ボア内のピストンの上死点で燃料の爆発が起こり、その爆発によりピストンが押し下げられるという構造上、シリンダボア壁の上側は温度が高くなり、下側は温度が低くなる。そのため、シリンダボア壁の上側と下側では、熱変形量に違いが生じ、上側は大きく膨張し、一方、下側の膨張が小さくなる。
【０００３】
その結果、ピストンのシリンダボア壁との摩擦抵抗が大きくなり、これが、燃費を下げる要因となっているので、シリンダボア壁の上側と下側とで熱変形量の違いを少なくすることが求められている。
【０００４】
そこで、従来より、シリンダボア壁の壁温を均一にするために、溝状冷却水流路内にスペーサーを設置し、溝状冷却水流路内の冷却水の水流を調節して、冷却水によるシリンダボア壁の上側の冷却効率と及び下側の冷却効率を制御することが試みられてきた。例えば、特許文献１には、内燃機関のシリンダブロックに形成された溝状冷却用熱媒体流路内に配置されることで溝状冷却用熱媒体流路内を複数の流路に区画する流路区画部材であって、前記溝状冷却用熱媒体流路の深さに満たない高さに形成され、前記溝状冷却用熱媒体流路内をボア側流路と反ボア側流路とに分割する壁部となる流路分割部材と、前記流路分割部材から前記溝状冷却用熱媒体流路の開口部方向に向けて形成され、かつ先端縁部が前記溝状冷却用熱媒体流路の一方の内面を越えた形に可撓性材料で形成されていることにより、前記溝状冷却用熱媒体流路内への挿入完了後は自身の撓み復元力により前記先端縁部が前記内面に対して前記溝状冷却用熱媒体流路の深さ方向の中間位置にて接触することで前記ボア側流路と前記反ボア側流路とを分離する可撓性リップ部材と、を備えたことを特徴とする内燃機関冷却用熱媒体流路区画部材が開示されている。
【先行技術文献】
【特許文献】
【０００５】
【特許文献１】特開２００８−３１９３９号公報（特許請求の範囲）
【発明の開示】
【発明が解決しようとする課題】
【０００６】
ところが、特許文献１の内燃機関冷却用熱媒体流路区画部材によれば、ある程度のシリンダボア壁の壁温の均一化が図れるので、シリンダボア壁の上側と下側との熱変形量の違いを少なくすることができるものの、近年、更に、シリンダボア壁の上側と下側とで熱変形量の違いを少なくすることが求められている。
【０００７】
そのようなことから、近年は、シリンダブロックの溝状冷却水流路のシリンダボア側の壁面を保温具で積極的に保温することにより、シリンダボア壁の壁温の均一化が図られている。そして、溝状冷却水流路のシリンダボア側の壁面を効果的に保温するためには、保温具の溝状冷却水流路のシリンダボア側の壁面への密着性が高いことが求められている。
【０００８】
また、シリンダボア壁を周方向に見たときに、周方向の全体について同様な保温が必要なわけではなく、保温が必要な部分と必要ない部分とが存在する。そのため、保温が必要な部分のみを保温できることが求められている。
【０００９】
また、近年、筒内に供給される空気と燃料の比である空燃比が従来のものに比べ大きい内燃機関が開発されており、このような内燃機関では、シリンダボア壁の上部の温度、特に、各シリンダボアのボア壁の境界及びその近傍の上部の温度が、従来のものに比べ高くなる。そのため、各シリンダボアのボア壁の境界及びその近傍の上部の冷却効率を高くすることも求められている。
【００１０】
従って、本発明の目的は、溝状冷却水流路のシリンダボア側の壁面への密着性が高く、保温が必要な箇所を選択的に保温でき、且つ、各シリンダボアのボア壁の境界及びその近傍の上部の冷却効率が高い保温具を提供することにある。
【課題を解決するための手段】
【００１１】
上記課題は、以下の本発明により解決される。
すなわち、本発明（１）は、シリンダボアを有する内燃機関のシリンダブロックの溝状冷却水流路に設置され、周方向に見たときに、全シリンダボアのボア壁の周方向全部又は全シリンダボアのボア壁のうちの周方向の一部を保温するための保温具であり、
上から見たときに円弧形状を有し、該溝状冷却水流路のシリンダボア側の壁面を保温するための各ボア壁保温部と、該保温具の設置位置の該溝状冷却水流路の形状に沿う形状を有し、該各ボア壁保温部が固定される支持部と、を有し、
該各ボア壁保温部は、該溝状冷却水流路のシリンダボア側の壁面に接触し、該溝状冷却水流路のシリンダボア側の壁面を覆うためのゴム部材と、該ゴム部材の背面側に設けられ、該ゴム部材全体を背面側から該溝状冷却水流路のシリンダボア側の壁面に向かって押し付けるための背面押し付け部材と、該溝状冷却水流路のシリンダボア側の壁面に向かって、該背面押し付け部材が該ゴム部材を押し付けるように付勢する弾性部材と、を有し、
該各ボア壁保温部が固定される支持部各ボア部には、該弾性部材が該支持部の内側から背面側に抜けるための開口が形成されており、
支持部ボア間部の上部の少なくとも一箇所に、該支持部の背面側の冷却水が内側に通り抜けるための冷却水通過口が形成されており、
該支持部は、該冷却水通過口近傍に、該冷却水通過口に冷却水が流れ込むように冷却水を誘導する誘導壁を有し、該溝状冷却水流路に冷却水が供給される位置の支持部の背面側に、上り傾斜で延び、該冷却水通過口に向かう冷却水の流れを作る傾斜壁を有し、
該各ボア壁保温部は、円弧方向の中央又は中央近傍のみが、該支持部に固定されていること、
を特徴とするシリンダボア壁の保温具を提供するものである。
【００１２】
また、本発明（２）は、シリンダボアを有する内燃機関のシリンダブロックの溝状冷却水流路に設置され、周方向に見たときに、全シリンダボアのボア壁の周方向全部又は全シリンダボアのボア壁のうちの周方向の一部を保温するための保温具であり、
上から見たときに円弧形状を有し、該溝状冷却水流路のシリンダボア側の壁面を保温するための各ボア壁保温部と、該保温具の設置位置の該溝状冷却水流路の形状に沿う形状を有し、該各ボア壁保温部が固定される支持部と、を有し、
該各ボア壁保温部は、該溝状冷却水流路のシリンダボア側の壁面に接触し、該溝状冷却水流路のシリンダボア側の壁面を覆うためのゴム部材と、該ゴム部材の背面側に設けられ、該ゴム部材全体を背面側から該溝状冷却水流路のシリンダボア側の壁面に向かって押し付けるための背面押し付け部材と、該溝状冷却水流路のシリンダボア側の壁面に向かって、該背面押し付け部材が該ゴム部材を押し付けるように付勢する弾性部材と、を有し、
該各ボア壁保温部が固定される支持部各ボア部には、該弾性部材が該支持部の内側から背面側に抜けるための開口が形成されており、
支持部ボア間部の上部の少なくとも一箇所に、該支持部の背面側の冷却水が内側に通り抜けるための冷却水通過口が形成されており、
該支持部は、該冷却水通過口近傍に、該冷却水通過口に冷却水が流れ込むように冷却水を誘導する誘導壁と、該誘導壁に向かって上り傾斜で延びる呼び込み壁と、を有し、
該各ボア壁保温部は、円弧方向の中央又は中央近傍のみが、該支持部に固定されていること、
を特徴とするシリンダボア壁の保温具を提供するものである。
【００１３】
また、本発明（３）は、シリンダボアを有する内燃機関のシリンダブロックの溝状冷却水流路に設置され、周方向に見たときに、全シリンダボアのボア壁の周方向全部を保温するための保温具であり、
上から見たときに円弧形状を有し、該溝状冷却水流路のシリンダボア側の壁面を保温するための各ボア壁保温部と、該保温具の設置位置の該溝状冷却水流路の形状に沿う形状を有し、該各ボア壁保温部が固定される支持部と、を有し、
該各ボア壁保温部は、該溝状冷却水流路のシリンダボア側の壁面に接触し、該溝状冷却水流路のシリンダボア側の壁面を覆うためのゴム部材と、該ゴム部材の背面側に設けられ、該ゴム部材全体を背面側から該溝状冷却水流路のシリンダボア側の壁面に向かって押し付けるための背面押し付け部材と、該溝状冷却水流路のシリンダボア側の壁面に向かって、該背面押し付け部材が該ゴム部材を押し付けるように付勢する弾性部材と、を有し、
該各ボア壁保温部が固定される支持部各ボア部には、該弾性部材が該支持部の内側から背面側に抜けるための開口が形成されており、
冷却水の流れが強い方の片側半分の溝状冷却水流路に設置される支持部ボア間部の上部の少なくとも一箇所に、該支持部の背面側の冷却水が内側に通り抜けるための冷却水通過口が形成されており、
該冷却水の流れが強い方の片側半分の溝状冷却水流路に設置される支持部は、該冷却水通過口近傍に、該冷却水通過口に冷却水が流れ込むように冷却水を誘導する誘導壁を有し、該溝状冷却水流路に冷却水が供給される位置の支持部の背面側に、上り傾斜で延び、該冷却水通過口に向かう冷却水の流れを作る傾斜壁を有し、
冷却水の流れが強い方とは反対側の片側半分の溝状冷却水流路に設置される支持部ボア間部の上部の少なくとも一箇所に、該支持部の背面側の冷却水が内側に通り抜けるための冷却水通過口が形成されており、
該冷却水の流れが強い方とは反対側の片側半分の溝状冷却水流路に設置される支持部は、該冷却水通過口近傍に、該冷却水通過口に冷却水が流れ込むように冷却水を誘導する誘導壁と、該誘導壁に向かって上り傾斜で延びる呼び込み壁と、を有し、
該各ボア壁保温部は、円弧方向の中央又は中央近傍のみが、該支持部に固定されていること、
を特徴とするシリンダボア壁の保温具を提供するものである。
【００１４】
また、本発明（４）は、前記ゴム部材が、感熱膨張ゴム又は水膨潤ゴムであることを特徴とする（１）〜（３）いずれかのシリンダボア壁の保温具を提供するものである。
【００１５】
また、本発明（５）は、シリンダブロックの溝状冷却水流路の全部又は一部に、（１）〜（３）いずれかのシリンダボア壁の保温具が少なくとも１つ設置されていることを特徴とする内燃機関を提供するものである。
【００１６】
また、本発明（６）は、シリンダブロックの溝状冷却水流路の一方の片側半分に、（１）のシリンダボア壁の保温具が設置されており、且つ、シリンダブロックの溝状冷却水流路の他方の片側半分に、（２）のシリンダボア壁の保温具が設置されていることを特徴とする内燃機関を提供するものである。
【００１７】
また、本発明（７）は、請求項５又は６いずれか１項項記載の内燃機関を有することを特徴とする自動車を提供するものである。
【発明の効果】
【００１８】
本発明によれば、溝状冷却水流路のシリンダボア側の壁面への密着性が高く、保温が必要な箇所を選択的に保温でき、且つ、各シリンダボアのボア壁の境界及びその近傍の上部の冷却効率が高い保温具を提供することができる。
【図面の簡単な説明】
【００１９】
【図１】本発明のシリンダボア壁の保温具が設置されるシリンダブロックの形態例を示す模式的な平面図である。
【図２】図１のｘ−ｘ線断面図である。
【図３】図１に示すシリンダブロックの斜視図である。
【図４】本発明のシリンダボア壁の保温具が設置されるシリンダブロックの形態例を示す模式的な平面図である。
【図５】本発明のシリンダボア壁の保温具の形態例を示す模式的な斜視図である。
【図６】図５に示すシリンダボア壁の保温具３６ａを上側から見た平面図である。
【図７】図５に示すシリンダボア壁の保温具３６ａをゴム部材側から見た側面図である。
【図８】図５に示すシリンダボア壁の保温具３６ａを背面側から見た側面図である。
【図９】図５に示すシリンダボア壁の保温具３６ａの拡大図である。
【図１０】図９の端面図である。
【図１１】図５中の各ボア壁保温部３５を作製する様子を示す図である。
【図１２】支持部３４ａに固定される前の各ボア壁保温部３５を示す斜視図である。
【図１３】各ボア壁保温部３５を支持部３４ａに固定する様子を示す図である。
【図１４】金属バネ付設部材３３を作製する様子を示す図である。
【図１５】本発明のシリンダボア壁の保温具の形態例を示す模式的な斜視図である。
【図１６】図１５に示すシリンダボア壁の保温具１３６ａを上側から見た平面図である。
【図１７】図１５に示すシリンダボア壁の保温具１３６ａをゴム部材側から見た側面図である。
【図１８】図１５に示すシリンダボア壁の保温具１３６ａを背面側から見た側面図である。
【図１９】図１に示すシリンダブロック１１に、シリンダボア壁の保温具３６ａ及び１３６ａを設置する様子を示す模式図である。
【図２０】図１に示すシリンダブロック１１に、シリンダボア壁の保温具３６ａ及び１３６ａが設置されている様子を示す模式図である。
【図２１】図１に示すシリンダブロック１１に、シリンダボア壁の保温具３６ａ及び１３６ａが設置されている様子を示す模式図である。
【図２２】シリンダボア壁の保温具の各ボア壁保温部が、ボア壁に接触する様子を示す図である。
【図２３】溝冷却水流路に供給された冷却水の流れ方を示す図である。
【図２４】溝冷却水流路に供給された冷却水の流れ方を示す図である。
【図２５】溝冷却水流路に供給された冷却水の流れ方を示す図である。
【図２６】溝冷却水流路に供給された冷却水の流れ方を示す図である。
【図２７】溝冷却水流路に供給された冷却水の流れ方を示す図である。
【図２８】各ボア壁保温部の形態例を作製する様子を示す模式的な斜視図である。
【図２９】図２８に示す各ボア壁保温部の形態例を示す模式的な斜視図である。
【図３０】各ボア壁保温部の形態例を示す模式図である。
【図３１】本発明のシリンダボア壁の保温具の形態例を示す模式的な斜視図である。
【図３２】本発明のシリンダボア壁の保温具の形態例を示す模式的な斜視図である。
【図３３】本発明のシリンダボア壁の保温具の形態例を示す模式図である。
【図３４】背面押し付け部材の形態例を示す模式図である。
【図３５】ゴム部材として膨張ゴムを用いる場合における、ゴム部材の膨張及び各ボア壁保温具の変形の様子を示す図である。
【図３６】本発明のシリンダボア壁の保温具の形態例を示す模式的な斜視図である。
【図３７】図３６に示すシリンダボア壁の保温具３６ｂを上側から見た平面図である。
【図３８】図３６に示すウォータージャケットスペーサーの冷却水通過口が形成されている側を背面側から見た側面図である。
【図３９】図３６に示すウォータージャケットスペーサーの冷却水通過口が形成されていない側を背面側から見た側面図である。
【図４０】図３６に示すウォータージャケットスペーサーの冷却水流れ変更部材６６の拡大図である。
【図４１】溝冷却水流路に供給された冷却水の流れ方を示す図である。
【図４２】溝冷却水流路に供給された冷却水の流れ方を示す図である。
【図４３】溝冷却水流路に供給された冷却水の流れ方を示す図である。
【図４４】溝冷却水流路に供給された冷却水の流れ方を示す図である。
【図４５】誘導壁の形態例を示す模式図である。
【図４６】冷却水流れ抑制壁の形態例を示す模式図である。
【図４７】本発明のシリンダボア壁の保温具の形態例を示す模式的な斜視図である。
【図４８】図４７に示すシリンダボア壁の保温具３６ｅを上側から見た平面図である。
【図４９】図４７に示すウォータージャケットスペーサーの傾斜壁が形成されている側を背面側から見た側面図である。
【図５０】図４７に示すウォータージャケットスペーサーの傾斜壁が形成されていない側を背面側から見た側面図である。
【発明を実施するための形態】
【００２０】
本発明のシリンダボア壁の保温具及び本発明の内燃機関について、図１〜図１９を参照して説明する。図１〜図４は、本発明のシリンダボア壁の保温具が設置されるシリンダブロックの形態例を示すものであり、図１及び図４は、本発明のシリンダボア壁の保温具が設置されるシリンダブロックを示す模式的な平面図であり、図２は、図１のｘ−ｘ線断面図であり、図３は、図１に示すシリンダブロックの斜視図である。図５は、本発明のシリンダボア壁の保温具の形態例を示す模式的な斜視図である。図６は、図５中の保温具３６ａを上から見た図である。なお、図６では、保温具３６ａに固定されている各ボア壁保温部３５のうち、右端の保温部については、構成部材毎に分離して示した。図７は、図５中の保温具３６ａを横から見た図であり、ゴム部材３１の接触面側から見た図である。図８は、図５中の保温具３６ａを横から見た図であり、背面側から見た図である。図９は、図５中の支持部３４ａに固定されている各ボア壁保温部３５の１つ分を拡大した図であり、各ボア壁保温部３５及び支持部３４ａを上から見た図である。図１０は、図９のＸ−Ｘ線及びＹ−Ｙ線の端面図である。図１１は、図５中の各ボア壁保温部３５を作製する様子を示す図である。図１２は、支持部３４ａに固定される前の各ボア壁保温部３５を示す斜視図である。図１３は、各ボア壁保温部３５を支持部３４ａに固定する様子を示す図である。図１４は、金属バネ付設部材３３を作製する様子を示す図である。図１５は、本発明のシリンダボア壁の保温具の形態例を示す模式的な斜視図である。図１６は、図１５中の保温具１３６ａを上から見た図である。なお、図１６では、保温具１３６ａに固定されている各ボア壁保温部３５のうち、右から２番目の保温部については、構成部材毎に分離して示した。図１７は、図１５中の保温具１３６ａを横から見た図であり、ゴム部材３１の接触面側から見た図である。図１８は、図１５中の保温具１３６ａを横から見た図であり、背面側から見た図である。図１９は、図１に示すシリンダブロック１１に、シリンダボア壁の保温具３６ａ及びシリンダボア壁の保温具１３６ａを設置する様子を示す模式図である。
【００２１】
図１〜図３に示すように、シリンダボア壁の保温具が設置される車両搭載用内燃機関のオープンデッキ型のシリンダブロック１１には、ピストンが上下するためのボア１２、及び冷却水を流すための溝状冷却水流路１４が形成されている。そして、ボア１２と溝状冷却水流路１４とを区切る壁が、シリンダボア壁１３である。また、シリンダブロック１１には、溝状冷却水流路１１へ冷却水を供給するための冷却水供給口１５及び冷却水を溝状冷却水流路１１から排出するための冷却水排出口１６が形成されている。
【００２２】
このシリンダブロック１１には、２つ以上のボア１２が直列に並ぶように形成されている。そのため、ボア１２には、１つのボアに隣り合っている端ボア１２ａ１、１２ａ２と、２つのボアに挟まれている中間ボア１２ｂ１、１２ｂ２とがある（なお、シリンダブロックのボアの数が２つの場合は、端ボアのみである。）。直列に並んだボアのうち、端ボア１２ａ１、１２ａ２は両端のボアであり、また、中間ボア１２ｂ１、１２ｂ２は、一端の端ボア１２ａ１と他端の端ボア１２ａ２の間にあるボアである。端ボア１２ａ１と中間ボア１２ｂ１の間の壁、中間ボア１２ｂ１と中間ボア１２ｂ２の間の壁及び中間ボア１２ｂ２と端ボア１２ａ２の間の壁（ボア間壁１９１）は、２つのボアに挟まれる部分なので、２つのシリンダボアから熱が伝わるため、他の壁に比べ壁温が高くなる。そのため、溝状冷却水流路１４のシリンダボア側の壁面１７では、ボア間壁１９１の近傍が、温度が最も高くなるので、溝状冷却水流路１４のシリンダボア側の壁面１７のうち、各シリンダボアのボア壁の境界１９２及びその近傍の温度が最も高くなる。
【００２３】
また、本発明では、溝状冷却水流路１４の壁面のうち、シリンダボア１３側の壁面を、溝状冷却水流路のシリンダボア側の壁面１７と記載し、溝状冷却水流路１４の壁面のうち、溝状冷却水流路のシリンダボア側の壁面１７とは反対側の壁面を壁面１８と記載する。
【００２４】
また、本発明において、片側半分とは、シリンダブロックをシリンダボアが並んでいる方向で垂直に二分割したときの片側の半分を指す。よって、本発明において、全シリンダボアのボア壁のうちの片側半分のボア壁とは、全シリンダボア壁をシリンダボアが並んでいる方向で垂直に二分割したときの片側の半分のボア壁を指す。例えば、図４では、シリンダボアが並んでいる方向がＺ−Ｚ方向であり、このＺ−Ｚ線で垂直に二分割したときの片側半分のボア壁のそれぞれが、全シリンダボアのボア壁のうちの片側半分のボア壁である。つまり、図４では、Ｚ−Ｚ線より２０ａ側の片側半分のボア壁が、全シリンダボアのボア壁のうちの一方の片側半分のボア壁２１ａであり、Ｚ−Ｚ線より２０ｂ側の片側半分のボア壁が、全シリンダボアのボア壁のうちの他方の片側半分のボア壁２１ｂである。また、全シリンダボア壁のうちの片側とは、片側半分のボア壁２１ａ又は片側半分のボア壁２１ｂのいずれかを指し、片側の一部とは、片側半分のボア壁２１ａの一部又は片側半分のボア壁２１ｂの一部を指す。
【００２５】
また、本発明において、各シリンダボアのボア壁とは、１つ１つのシリンダボアに対応する各ボア壁部分を指し、図４では、両矢印２２ａ１で示す範囲が、シリンダボア１２ａ１のボア壁２３ａ１であり、両矢印２２ｂ１で示す範囲が、シリンダボア１２ｂ１のボア壁２３ｂ１であり、両矢印２２ｂ２で示す範囲が、シリンダボア１２ｂ２のボア壁２３ｂ２であり、両矢印２２ａ２で示す範囲が、シリンダボア１２ａ２のボア壁２３ａ２であり、両矢印２２ｂ３で示す範囲が、シリンダボア１２ｂ１のボア壁２３ｂ３であり、両矢印２２ｂ４で示す範囲が、シリンダボア１２ｂ２のボア壁２３ｂ４である。つまり、シリンダボア１２ａ１のボア壁２３ａ１、シリンダボア１２ｂ１のボア壁２３ｂ１、シリンダボア１２ｂ２のボア壁２３ｂ２、シリンダボア１２ａ２のボア壁２３ａ２、シリンダボア１２ｂ１のボア壁２３ｂ３及びシリンダボア１２ｂ２のボア壁２３ｂ４が、それぞれ、各シリンダボアのボア壁である。
【００２６】
図５に示すシリンダボア壁の保温具３６ａは、本発明の第一の形態のシリンダボア壁の保温具の形態例であり、図４中、一方の片側半分（２０ａ側）のボア壁２１ａを保温するための保温具である。シリンダボア壁の保温具３６ａは、冷却水が供給される位置の支持部各ボア部に、傾斜壁に加え、冷却水当たり面及び冷却水流れ抑制壁が形成されている形態例である。なお、図４には、２０ａ側の片側半分の溝状冷却水流路１４を端まで流れた冷却水が、シリンダブロック１１の横側に形成されている冷却水排出口１６から排出される形態のシリンダブロックを記載したが、他には、例えば、２０ａ側の片側半分の溝状冷却水流路１４を一方の端から他方の端まで流れた冷却水が、シリンダブロックの横側から排出されるのではなく、シリンダヘッドに形成されている冷却水流路に流れ込む形態のシリンダブロックがある。
【００２７】
シリンダボア壁の保温具３６ａは、３つの各ボア壁保温部３５と、各ボア壁保温部３５が固定される支持部３４ａと、を有する。つまり、シリンダボア壁の保温具３６ａでは、支持部３４ａの３か所に、各ボア壁保温部３５が固定されている。そして、シリンダボア壁の保温具３６ａでは、各ボア壁保温部３５は、保温部３５の折り曲げ部３７が折り曲げられて、支持部３４ａの上下端部を、折り曲げ部３７が挟み込むことにより、支持部３４ａに、各ボア壁保温部３５が固定されている。
【００２８】
図５〜図８に示すように、シリンダボア壁の保温具３６ａは、図４に示すシリンダブロック１１の片側半分の溝状冷却水流路１４ａに設置される保温具であり、シリンダボア１２ｂ１のボア壁２３ｂ１、シリンダボア１２ｂ２のボア壁２３ｂ２及びシリンダボア１２ａ２のボア壁２３ａ２を、保温するための保温具である。そのため、シリンダボア壁の保温具３６ａには、シリンダボア１２ｂ１のボア壁２３ｂ１、シリンダボア１２ｂ２のボア壁２３ｂ２及びシリンダボア１２ａ２のボア壁２３ａ２の３つの各シリンダボアのボア壁を保温するために各ボア壁保温部３５が３つ設けられている。
【００２９】
シリンダボア壁の保温具３６ａでは、シリンダボア壁側に、ゴム部材３１の接触面６が向き、ゴム部材３１の接触面６が、溝状冷却水流路１４のシリンダボア側の壁面１７に接触できるように、各ボア壁保温部３５が固定されている。また、シリンダボア壁の保温部３６ａの背面側では、各ボア壁保温部３５に付設されている金属板バネ３９が、支持部３４ａの開口４２を通って、ゴム部材３１とは反対側に向けて張り出している。そして、金属板バネの３９の張り出した先端２７が、溝状冷却水流路１４のシリンダボア側の壁面１７とは反対側の壁面１８に接触する。
【００３０】
シリンダボア壁の保温具３６ａに固定されている各ボア壁保温部３５は、図６、図９及び図１０に示すように、ゴム部材３１と、背面押し付け部材３２と、金属板バネ付設部材３３と、からなる。
【００３１】
ゴム部材３１は、上から見たときに、円弧状に成形されており、ゴム部材３１の接触面２６側の形状は、溝状冷却水流路１４のシリンダボア側の壁面に沿う形状である。ゴム部材３１は、各シリンダボアのボア壁２２に直接接触して、ボア壁２２の保温箇所を覆い、各シリンダボアのボア壁２２を保温するための部材である。また、背面押し付け部材３２は、上から見たときに、円弧状に成形されており、ゴム部材３１の全体をゴム部材３１の背面側から押し付けることができるように、ゴム部材３１の背面側（接触面６側とは反対側の面）に沿う形状である。また、金属板バネ付設部材３３は、上から見たときに、円弧状に成形されており、背面押し付け部材３２の背面側（ゴム部材３１とは反対側の面）に沿う形状であり、弾性部材である金属板バネ３９が付設されている。金属板バネ３９は、縦長の長方形の金属板であり、長手方向の一端が金属板バネ付設部材３３に繋がっている。金属板バネ３９は、先端２７が金属板バネ付設部材３３から離れるように、金属板バネ付設部材３３に繋がっている他端側２８で、金属板バネ付設部材３３から折り曲げられることにより、金属板バネ付設部材３３に付設されている。そして、ゴム部材３１及び背面押し付け部材３２は、金属板バネ付設部材３３の上側及び下側に形成されている折り曲げ部４０が折り曲げられて、金属板バネ付設部材３３と折り曲げ部４０の間に挟み込まれることにより、金属板バネ付設部材３３に固定されている。ゴム部材３１では、背面押し付け部材３２側とは反対側のゴム部材３１の面が、溝状冷却水流路のシリンダボア側の壁面１７に接する接触面６である。
【００３２】
各ボア壁保温部３５は、各シリンダボアのボア壁を保温するための部材であり、シリンダボア壁の保温具３６ａが、シリンダブロック１１の溝状冷却水流路１４に設置されたときに、溝状冷却水流路１４のシリンダボア側の壁面１７に、ゴム部材３１が接触して、ゴム部材３１で溝状冷却水流路１４のシリンダボア側の壁面１７を覆い、且つ、弾性部材である金属板バネ３９の付勢力で、背面押し付け部材３２が、ゴム部材３１を背面側から溝状冷却水流路１４のシリンダボア側の壁面１７に向けて押し付けて、ゴム部材３１を溝状冷却水流路１４のシリンダボア側の壁面１７に密着させることにより、各ボア壁保温部３５が各シリンダボアのボア壁を保温する。
【００３３】
支持部３４ａは、上から見たときに、４つの円弧が連続する形状に成形されており、支持部３４ａの形状は、溝状冷却水流路１４の片側半分に沿う形状である。なお、各シリンダボア側の支持部３４ａの各部分が、支持部各ボア部である。つまり、支持部３４ａを形成する４つの円弧形状のそれぞれが、支持部各ボア部である。よって、支持部３４ａは、支持部各ボア部３６１と、支持部各ボア部３６２ａと、支持部各ボア部３６２ｂと、支持部各ボア部３６２ｃとで形成されており、円弧状の支持部各ボア部３６１、支持部各ボア部３６２ａ、支持部各ボア部３６２ｂ及び支持部各ボア部３６２ｃが順に繋がった形状である。
【００３４】
支持部３４ａの支持部各ボア部のうち、各ボア部保温部３５が固定される支持部各ボア部、すなわち、支持部各ボア部３６２ａ、支持部各ボア部３６２ｂ及び支持部各ボア部３６２ｃには、各ボア壁保温部３５に付設されている金属板バネ３９が、支持部３４ａを通り抜けて、シリンダボア壁の保温具３６ａの背面側から、溝状冷却水流路１４のシリンダボア側の壁面１７とは反対側の壁面１８に向かって張り出すことができるように、開口４２が形成されている。
【００３５】
支持部３４ａは、各ボア壁保温部３５が固定される部材であり、各ボア壁保温部３５の位置が溝状冷却水流路１４内でずれないように、各ボア壁保温部３５の位置を定める役割を果たす。支持部３４ａは、合成樹脂の成形体である。
【００３６】
そして、シリンダボア壁の保温具３６ａでは、各ボア壁保温部３５は、上から見たときの円弧方向の中央又は中央近傍（各ボア壁保温部を上から見たときに、円弧状の各ボア壁保温部の中央又は中央近傍）のみが、支持部３４ａに固定されている。シリンダボア壁の保温具３６ａでは、３つの各ボア壁保温部３５が、上から見たときの円弧方向の中央又は中央近傍のみで、支持部各ボア部３６２ａ、支持部各ボア部３６２ｂ及び支持部各ボア部３６２ｃのそれぞれに、固定されている。図１０のＸ−Ｘ端面図は、各ボア壁保温部３５の中央で切った端面図であるが、Ｘ−Ｘ端面図では、金属板バネ付設部材３３の上端及び下端のそれぞれが、折り曲げ部３７によって、支持部３４ａに固定されていることが示されている。それに対して、図１０のＹ−Ｙ端面図は、各ボア壁保温部３５の端の方の部分を切った端面図であるが、Ｙ−Ｙ端面図では、金属板バネ付設部材３３は、支持部３４ａに固定されていないことが示されている。
【００３７】
支持部各ボア部には、傾斜壁３０が形成されている支持部各ボア部３６１と、傾斜壁３０が形成されていない支持部各ボア部３６２とがある。なお、冷却水５３は、シリンダボア壁の保温具３６ａに対して、図６中の矢印で示す方向に供給される。
【００３８】
支持部各ボア部３６１は、冷却水が溝状冷却水流路内に供給される位置にある各ボア部である。図４に示すシリンダブロック１１の場合だと、冷却水供給口１５が形成されている位置は、シリンダボア１２ａ１側且つ片側２０ａ側の溝状冷却水流路なので、シリンダボア１２ａ１側の支持部各ボア部３６１が、冷却水が溝状冷却水流路内に供給される位置にある支持部各ボア部である。
【００３９】
支持部各ボア部３６１には、背面側に、冷却水当たり面２９と、冷却水流れ抑制壁２４と、傾斜壁３０とが形成されている。冷却水当たり面２９は、シリンダブロックの外から供給される冷却水が最初に当たる面である。冷却水流れ抑制壁２４は、冷却水当たり面２９に当たった冷却水が、冷却水流れ方向とは反対方向５２に流れず且つ傾斜壁３０に向かって流れるようにする壁である。そのため、冷却水流れ抑制壁２４は、冷却水当たり面２９の冷却水が流れて行く側とは反対側部分を囲むように形成されている。つまり、冷却水当たり面２９の冷却水が流れて行く側とは反対側部分の上側と横側と下側に、壁が形成されている。傾斜壁３０は、冷却水当たり面２９に当たった後、冷却水流れ方向５１に流れ出した冷却水が、冷却水通過口２５に向かって流れるように、冷却水の当たり面２９から冷却水通過口２５に向かう冷却水の流れを作る傾斜壁である。そのため、傾斜壁３０は、冷却水当たり面２９の近傍を始点として、冷却水の当たり面２９の近傍から上り傾斜で延びている。
【００４０】
支持部各ボア部３６１の内側には、縦リブ５が形成されている。なお、本発明において、冷却水が溝状冷却水流路内に供給される位置にある支持部各ボア部の内側には、縦リブが形成されていても、形成されていなくてもよく、縦リブの形成は必要に応じて適宜選択される。また、本発明においては、冷却水が溝状冷却水流路内に供給される位置にある支持部各ボア部にも、各ボア壁保温部が固定されていてもよい。
【００４１】
支持部ボア間部５４の上部には、冷却水通過口２５が形成されている。冷却水通過口２５は、支持部３４ａの背面側の冷却水が、支持部３４ａの内側に通り抜ける通過口である。そして、冷却水通過口２５の近傍には、誘導壁２６が形成されている。誘導壁２６は、冷却水の当たり面２９から冷却水通過口２５に向かって流れてくる冷却水が、冷却水通過口２５に流れ込むように、冷却水を誘導するための壁である。誘導壁２６には、冷却水通過口２５の上側に上側壁２６１と冷却水流れ方向側の横側に横側壁２６２とがあるので、冷却水通過口２５の斜め下から流れてくる冷却水を、上側壁２６１と横側壁２６２とが堰き止めるため、冷却水は、冷却水通過口２５に流れ込む。また、誘導壁２６の横側壁２６２の下端には、横側壁２６２の下端に向かって上り傾斜の呼び込み壁２６３が繋がっている。呼び込み壁２６３は、冷却水通過口２５より少し下を通過する冷却水を、冷却水通過口２５に集める役割を果たす。なお、図５に示す形態例では、誘導壁２６ａの呼び込み壁は、傾斜壁３０ａと繋がっている。
【００４２】
支持部３４ａのうち、隣り合う支持部各ボア部が繋がる部位が、支持部各ボア部の境界４８である。そして、支持部３４ａのうち、支持部各ボア部の境界４８及びその近傍の部分は、溝状冷却水流路側の壁面のうち、ボア間壁１９１の横側に相当する壁面に対向する部分である。本発明では、支持部のうち、支持部各ボア部の境界及びその近傍の部分、すなわち、溝状冷却水流路側の壁面のうち、ボア間壁の横側に相当する壁面と対向する部分を、支持部ボア間部と呼ぶ。
【００４３】
シリンダボア壁の保温具３６ａの作製手順について説明する。図１１に示すように、ゴム部材３１に、その背面側から、背面押し付け部材３２と、金属板バネ３９が付設され且つ折り曲げ部４０及び折り曲げ部３７が形成されている金属板バネ付設部材３３と、を順に合わせ、次いで、折り曲げ部４０を折り曲げて、図１２に示すように、折り曲げ部４０で、背面押し付け部材３２及びゴム部材３１を挟み込ませることにより、金属板バネ付設部材３３に、背面押し付け部材３２及びゴム部材３１を固定して、各ボア壁保温部３５を作製する。そして、図１３に示すように、各ボア壁保温部３５を３つ作製し、支持部３４ａの固定箇所に、折り曲げ部３７を折り曲げて、折り曲げ部３７で、支持部３４ａを挟み込ませることにより、支持部３４ａに、各ボア壁保温部３５を固定して、シリンダボア壁の保温具３６ａを作製する。
【００４４】
なお、金属板バネ付設部材３３の作製手順であるが、図１４に示すように、金属板４３を用意し、図１４（Ａ）中の点線の位置で、金属板４３を打ち抜くことにより、図１４（Ｂ）のように、金属板バネ３９、折り曲げ部４０及び折り曲げ部３７を形成させて、金属板の打ち抜き物４５を作製する。次いで、金属板の打ち抜き物４５全体を円弧状に成形し、且つ、金属板バネ３９を背面側に曲げることにより、金属板バネ付設部材３３を作製する。また、支持部３４ａであるが、合成樹脂を射出成形することにより、支持部３４ａを作製する。
【００４５】
図１５に示すシリンダボア壁の保温具１３６ａは、本発明の第二の形態のシリンダボア壁の保温具の形態例であり、図４中、一方の片側半分（２０ｂ側）のボア壁２１ｂを保温するための保温具である。シリンダボア壁の保温具１３６ａは、支持部各ボア部のいずれにも、傾斜壁が形成されていない形態である。
【００４６】
シリンダボア壁の保温具１３６ａは、４つの各ボア壁保温部３５と、各ボア壁保温部３５が固定される支持部１３４ａと、を有する。つまり、シリンダボア壁の保温具１３６ａでは、支持部１３４ａの４か所に、各ボア壁保温部３５が固定されている。そして、シリンダボア壁の保温具１３６ａでは、各ボア壁保温部３５は、保温部３５の折り曲げ部３７が折り曲げられて、支持部３４ａの上下端部を、折り曲げ部３７が挟み込むことにより、支持部１３４ａに、各ボア壁保温部３５が固定されている。
【００４７】
図１５〜図１８に示すように、シリンダボア壁の保温具１３６ａは、図４に示すシリンダブロック１１の片側半分の溝状冷却水流路１４ｂに設置される保温具であり、シリンダボア１２ａ２のボア壁２３ａ２、シリンダボア１２ｂ２のボア壁２３ｂ４、シリンダボア１２ｂ１のボア壁２３ｂ３及びシリンダボア１２ａ１のボア壁２３ａ１を、保温するための保温具である。そのため、シリンダボア壁の保温具１３６ａには、シリンダボア１２ａ２のボア壁２３ａ２、シリンダボア１２ｂ２のボア壁２３ｂ４、シリンダボア１２ｂ１のボア壁２３ｂ３及びシリンダボア１２ａ１のボア壁２３ａ１の４つの各シリンダボアのボア壁を保温するために各ボア壁保温部３５が４つ設けられている。
【００４８】
シリンダボア壁の保温具１３６ａでは、シリンダボア壁側に、ゴム部材３１の接触面６が向き、ゴム部材３１の接触面６が、溝状冷却水流路１４のシリンダボア側の壁面１７に接触できるように、各ボア壁保温部３５が固定されている。また、シリンダボア壁の保温部３６ａの背面側では、各ボア壁保温部３５に付設されている金属板バネ３９が、支持部３４の開口４２を通って、ゴム部材３１とは反対側に向けて張り出している。そして、金属板バネ３９の張り出した先端２７が、溝状冷却水流路１４のシリンダボア側の壁面１７とは反対側の壁面１８に接触する。
【００４９】
シリンダボア壁の保温具１３６ａに固定されている各ボア壁保温部３５は、シリンダボア壁の保温具３６ａに固定されている各ボア壁保温部３５と同様である。
【００５０】
支持部１３４ａは、上から見たときに、４つの円弧が連続する形状に成形されており、支持部１３４ａの形状は、溝状冷却水流路１４の片側半分に沿う形状である。よって、支持部１３４ａは、支持部各ボア部３６３ａと、支持部各ボア部３６３ｂａと、支持部各ボア部３６３ｃと、支持部各ボア部３６３ｄとで形成されており、円弧状の支持部各ボア部３６３ａ、支持部各ボア部３６３ｂ、支持部各ボア部３６３ｃ及び支持部各ボア部３６３ｄが順に繋がった形状である。
【００５１】
支持部１３４ａの支持部各ボア部３６３のそれぞれに、各ボア部保温部３５が固定される。支持部各ボア部３６３には、各ボア壁保温部３５に付設されている金属板バネ３９が、支持部３４ａを通り抜けて、シリンダボア壁の保温具３６ａの背面側から、溝状冷却水流路１４のシリンダボア側の壁面１７とは反対側の壁面１８に向かって張り出すことができるように、開口４２が形成されている。
【００５２】
支持部１３４ａは、各ボア壁保温部３５が固定される部材であり、各ボア壁保温部３５の位置が溝状冷却水流路１４内でずれないように、各ボア壁保温部３５の位置を定める役割を果たす。支持部１３４ａは、合成樹脂の成形体である。
【００５３】
そして、シリンダボア壁の保温具１３６ａでは、シリンダボア壁の保温具３６ａと同様に、各ボア壁保温部３５は、上から見たときの円弧方向の中央又は中央近傍（各ボア壁保温部を上から見たときに、円弧状の各ボア壁保温部の中央又は中央近傍）のみが、支持部１３４ａに固定されている。シリンダボア壁の保温具１３６ａでは、４つの各ボア壁保温部３５が、上から見たときの円弧方向の中央又は中央近傍のみで、支持部各ボア部３６３ａ、支持部各ボア部３６３ｂａ、支持部各ボア部３６３ｃ及び支持部各ボア部３６３ｄのそれぞれに、固定されている。
【００５４】
シリンダボア壁の保温具１３６ａは、溝状冷却水流路内に流れ込んできた冷却水が、勢いよく流れる側の片側半分の溝状冷却水流路ではなく、片側半分の溝状冷却水流路を流れて、流れが緩やかになった冷却水が流れる側の片側半分（図４の形態例だと、片側半分１４ｂ）の溝状冷却水流路に設置される。そのため、支持部１３４ａの支持部各ボア部３６３のいずれにも、傾斜壁３０は形成されていない。
【００５５】
支持部１３４ａの支持部ボア間部５４の上部には、冷却水通過口２５が形成されている。冷却水通過口２５は、支持部１３４ａの背面側の冷却水が、支持部１３４ａの内側に通り抜ける通過口である。そして、冷却水通過口２５の近傍には、誘導壁１２６が形成されている。誘導壁１２６は、支持部１３４ａの背面側を流れ、冷却水通過口２５に向かって流れてくる冷却水が、冷却水通過口２５に流れ込むように、冷却水を誘導するための壁である。誘導壁１２６には、冷却水通過口２５の上側に上側壁２６１と冷却水流れ方向側の横側に横側壁２６２とがあるので、冷却水通過口２５の斜め下から流れてくる冷却水を、上側壁２６１と横側壁２６２とが堰き止めるため、冷却水は、冷却水通過口２５に流れ込む。また、誘導壁１２６の横側壁２６２の下端には、横側壁２６２の下端に向かって上り傾斜の呼び込み壁２６３が繋がっている。呼び込み壁２６３は、冷却水通過口２５より下を通過する冷却水を、冷却水通過口２５に集める役割を果たす。
【００５６】
支持部１３４ａのうち、隣り合う支持部各ボア部が繋がる部位が、支持部各ボア部の境界４８である。そして、支持部１３４ａのうち、支持部各ボア部の境界４８及びその近傍の部分は、溝状冷却水流路側の壁面のうち、ボア間壁１９１の横側に相当する壁面に対向する部分である。本発明では、支持部のうち、支持部各ボア部の境界及びその近傍の部分、すなわち、溝状冷却水流路側の壁面のうち、ボア間壁の横側に相当する壁面と対向する部分を、支持部ボア間部と呼ぶ。
【００５７】
シリンダボア壁の保温具３６ａ及びシリンダボア壁の保温具１３６ａは、例えば、図１に示すシリンダブロック１１の溝状冷却水流路１４に設置される。図１９に示すように、シリンダボア壁の保温具３６ａ及びシリンダボア壁の保温具１３６ａを、シリンダブロック１１の溝状冷却水流路１４に挿入して、図２０及び図２１に示すように、シリンダボア壁の保温具３６ａ及びシリンダボア壁の保温具１３６ａを、溝状冷却水流路１４に設置する。このようにして、シリンダボア壁の保温具３６ａは、一方の片側半分の壁面１７ａ側に設置され、シリンダボア壁の保温具１３６ａは、他方の片側半分の壁面１７ｂに設置される。
【００５８】
このとき、シリンダボア壁の保温具３６ａでは、各ボア壁保温部３５のゴム部材３１の接触面６から金属板バネ３９の先端側２７までの距離が、溝状冷却水流路１４の幅よりも大きくなるように、金属板バネ３９が付設されている。そのため、シリンダボア壁の保温具３６ａが、溝状冷却水流路１４に設置されると、金属板バネ３９が、各ボア壁保温部３５の背面と壁面１８との間に挟まれることにより、金属板バネ３９の先端２７には、金属板バネ付設部材３３に向かう方向に力が加えられる。このことにより、金属板バネ３９は、先端２７が金属板バネ付設部材３３側に近づくように変形するので、金属板バネ３９には、元に戻ろうとする弾性力が生じる。そして、この弾性力により、金属板バネ付設部材３３は、溝状冷却水流路のシリンダボア側の壁面１７に向かって押され、その結果、金属板バネ付設部材３３により押された背面押し付け部材３２により、ゴム部材３１が、溝状冷却水流路のシリンダボア側の壁面１７に押し付けられる。つまり、シリンダボア壁の保温具３６ａが、溝状冷却水流路１４に設置されることにより、金属板バネ３９が変形し、その変形が戻ろうとして生じる弾性力により、ゴム部材３１を溝状冷却水流路のシリンダボア側の壁面１７に押し付けるように、背面押し付け部材３２が付勢される。このようにして、シリンダボア壁の保温具３６ａの各ボア壁保温部３５のゴム部材３１が、溝状冷却水流路のシリンダボア側の全壁面１７のうちの一方の片側半分の壁面１７ａの一部の各シリンダボアのボア壁面に接触する。
【００５９】
このとき、シリンダボア壁の保温具３６ａでは、各ボア壁保温部３５は、各ボア壁保温具を上から見たときの円弧方向の中央又は中央近傍のみが、支持部３４ａに固定されているので、各ボア壁保温部３５の金属板バネ付設部材３３及び背面押し付け部材３２が金属板バネ３９で付勢されたときに、支持部３４ａとは独立して、金属板バネ付設部材３３、背面押し付け部材３２及びゴム部材３１が変形することができる。図２２を参照して説明する。シリンダボア壁の保温具の作製においては、各ボア壁保温部のゴム部材の接触面の曲率が、ゴム部材が接触する各シリンダボアのボア壁の壁面の曲率と合うように、ゴム部材は加工されるが、実際には、ゴム部材の接触面及び各シリンダボアのボア壁の壁面のいずれにも、設計値に対して加工誤差が生じてしまう。そして、ゴム部材の接触面又は各シリンダボアのボア壁の壁面の加工誤差により、ゴム部材の接触面の曲率が各シリンダボアのボア壁の壁面の曲率より小さくなってしまった場合に、図２２（Ａ）に示すように、保温部の全体が、支持部に固定されていたならば（例えば、保温部を上から見たときの円弧方向の中央近傍と両端近傍の合計３か所が支持部に固定されていたならば）、金属板バネで付勢されたときに、ゴム部材５６の円弧方向の中央近傍は、各シリンダボアのボア壁２３に接触することはできるが、端の方の部分は、ボア壁には接触できない。それに対して、ゴム部材の接触面の曲率が各シリンダボアのボア壁の壁面の曲率より小さくなってしまった場合に、図２２（Ｂ）に示すように、各ボア壁保温部を上から見たときの円弧方向の各ボア壁保温部３５の中央又は中央近傍のみが、支持部３４ａに固定されていると、金属板バネ３９で付勢されたときに、各ボア壁保温部３５の端の方の部分が、支持部３４ａから離れて、各シリンダボアのボア壁２３に向かうように変形できるので、ゴム部材３１の円弧方向の中央近傍だけでなく、端の方も各シリンダボアのボア２３壁に接触することができる。このようなことから、シリンダボア壁の保温具３６ａでは、加工誤差により、ゴム部材３１の接触面６と各シリンダボアのボア壁２３の壁面の曲率に差があったとしても、ゴム部材３１を確実に各シリンダボアのボア壁の壁面に接触させることができるので、ゴム部材３１の各シリンダボアのボア壁２３の壁面（溝状冷却水流路１４のシリンダボア側の壁面１７）への密着性が高くなる。
【００６０】
また、シリンダボア壁の保温具３６ａ及びシリンダボア壁の保温具１３６ａが図１に示すシリンダロック１１の溝状冷却水流路１４に設置されている状態で、溝状冷却水流路１４に冷却水が供給されたときの冷却水の流れを図２３〜図２７を参照して説明する。図２３は、シリンダブロック１１の冷却水供給口１５から冷却水５３が供給され、冷却水排出口１６より排出されているときの、溝状冷却水流路を流れる冷却水５３の流れ方向を示す図であり、シリンダブロック１１を上から見た図である。なお、図２３では、説明の都合上、シリンダボア壁の保温具３６ａの冷却水流れ抑制壁２４の輪郭のみを二点鎖線で示し、シリンダボア壁の保温具３６ａのその他の部分及びシリンダボア壁の保温具１３６ａの記載を省略した。図２３に示すように、冷却水供給口１５の近傍にある冷却水流れ抑制壁２４の存在により、冷却水供給口１５から供給された冷却水５３は、先ず、一方の片側半分の溝状冷却水流路１４ａの冷却水供給口１５側の端から反対側の端に向かって流れ、次いで、一方の片側半分の溝状冷却水流路１４ａの冷却水供給口１５とは反対側の端まで流れると、他方の片側半分の溝状冷却水流路１４ｂに回り込み、他方の片側半分の溝状冷却水流路１４ｂを、冷却水排出口１６に向かって流れ、次いで、冷却水排出口１６より排出される。
【００６１】
図２４に示すように、冷却水供給口１５から供給される冷却水５３は、先ず、ウォータージャケットスペーサー３６ａの支持部各ボア部３６１の背面側の冷却水当たり面２９に当たる。そして、冷却水当たり面２９の冷却水流れ方向側とは反対側には、冷却水流れ抑制壁２４が形成されており、冷却水当たり面２９のうちの、冷却水流れ方向側とは反対側の半分程度の部分を囲むように、冷却水流れ抑制壁２４が形成されているので、冷却水当たり面２９に当たった冷却水５３は、冷却水流れ方向とは反対方向５２に流れずに、冷却水流れ方向５１に、傾斜壁３０に向かって流れ出す。次いで、図２５に示すように、冷却水当たり面２９の冷却水流れ方向の先には、冷却水当たり面２９の近傍から上り傾斜で延びる傾斜壁３０が形成されているので、傾斜壁３０に向かって流れ出した冷却水５３は、この傾斜壁３０により流れが変えられて、支持部ボア間部５４の上部に形成されている冷却水通過口２５に向かって流れる。つまり、傾斜壁３０により、支持部ボア間部５４の上部に形成されている冷却水通過口２５に向かって流れる冷却水の流れが作られる。図２５に示す形態例のシリンダボア壁の保温具３６ａには、支持部ボア間部５４の上部３箇所に、冷却水通過口２５ａ、２５ｂ、２５ｃが形成されており、傾斜壁３０ａと傾斜壁３０ｂの２つが、冷却水通過口２５ａに向かう冷却水流れと、冷却水通過口２５ｂに向かう冷却水流れと、冷却水通過口２５ｃに向かう冷却水流れとを作る。次いで、図２６に示すように、冷却水通過口２５の近傍には、冷却水通過口２５に向かって流れてきた冷却水５３が冷却水通過口２５に流れ込むように誘導する誘導壁２６が形成されているので、冷却水通過口２５に向かって流れてきた冷却水５３は、誘導壁２６よって、冷却水通過口２５に流れ込み、支持部３４ａの外側から内側へと流れていく。冷却水通過口２５は、支持部ボア間部５４の上部に形成されているので、冷却水通過口２５の先には、各シリンダボアのボア壁の境界１９２及びその近傍の上部がある。そして、冷却水当たり面２９から冷却水通過口２５に向かって流れてくる冷却水５３は、温度が低く、また、各シリンダボアのボア壁の境界１９２及びその近傍の上部は、溝状冷却水流路のシリンダボア側の壁面のうち、最も温度が高くなる部分である。そのため、シリンダボア壁の保温具３６ａによれば、冷却水当たり面２９から冷却水通過口２５に向かって流れてくる冷却水５３、すなわち、温度が低い冷却水を、溝状冷却水流路のシリンダボア側の壁面のうち、最も温度が高くなる部分に当てることができるので、冷却効率が高くなる。
【００６２】
溝状冷却水流路内に流れ込んできた冷却水が、勢いよく流れる側とは反対側の片側半分の溝状冷却水流路（図２３では、片側半分の溝状冷却水流路１４ｂ）では、冷却水はゆっくりと流れている。通常、シリンダブロックには、各シリンダボアのボア壁の境界の上部からシリンダヘッドのボア間壁に抜けるドリルパスと呼ばれる冷却水の通過孔が設けられているので、支持部１３４ａの背面側の溝状冷却水流路には、各シリンダボアのボア壁の境界の上部、つまり、ボア間部５４の上部に形成されている冷却水通過口２５ｆ、２５ｇ、２５ｈに向かって、緩やかな冷却水の流れが生じている。そして、図２７に示すように、呼び込み壁２６３ｆ、２６３ｇ、２６３ｈにより、冷却水通過口２５ｆ、２５ｇ、２５ｈの下側を流れる冷却水５３は、冷却水通過口２５ｆ、２５ｇ、２５ｈに向かってくる冷却水５３と共に、冷却水通過口２５ｆ、２５ｇ、２５ｈの方に集められ、誘導壁１２６ａ、１２６ｂ、１２６ｃによって、冷却水通過口２５ｆ、２５ｇ、２５ｈに流れ込む。そのため、シリンダボア壁の保温具１３６ａによれば、背面側を流れる冷却水を集めて、ドリルパスの入り口に流れ込ませることができるので、冷却効率が高くなる。
【００６３】
また、本発明の第一の形態のシリンダボア壁の保温具の他の形態例について説明する。図３６は、本発明のシリンダボア壁の保温具の他の形態例を示す模式的な斜視図である。図３７は、図３６中のシリンダボア壁の保温具３６ｂを上から見た図である。図３８は、図３６中のシリンダボア壁の保温具３６ｂを横から見た図であり、冷却水通過口が形成されている側から見た図である。図３９は、図３６中のシリンダボア壁の保温具３６ｂを横から見た図であり、冷却水通過口が形成されていない側から見た図である。
【００６４】
図３６に示すシリンダボア壁の保温具３６ｂは、本発明の第一の形態のシリンダボア壁の保温具の他の形態例であり、図４４中、溝状冷却水流路１４の周方向の全部に設置されるシリンダボア壁の保温具である。シリンダボア壁の保温具３６ｂは、冷却水が供給される位置のシリンダボア壁の保温具の支持部各ボア部に、傾斜壁は形成されているが、冷却水当たり面及び冷却水流れ抑制壁は形成されていない形態例である。
【００６５】
シリンダボア壁の保温具３６ｂにおいて、シリンダボア壁側に、ゴム部材３１の接触面６が向き、ゴム部材３１の接触面６が、溝状冷却水流路１４のシリンダボア側の壁面１７に接触できるように、各ボア壁保温部３５が固定されている点、シリンダボア壁の保温部３６ｂの背面側では、各ボア壁保温部３５に付設されている金属板バネ３９が、支持部３４ｂの開口４２を通って、ゴム部材３１とは反対側に向けて張り出している点は、シリンダボア壁の保温具３６ａと同様である。
【００６６】
シリンダボア壁の保温具３６ｂに固定されている各ボア壁保温部３５は、シリンダボア壁の保温具３６ａに固定されている各ボア壁保温部３５と同様である。
【００６７】
支持部３４ｂは、上から見たときに、シリンダボア壁を一周囲む形状に成形されており、支持部３４ｂの形状は、溝状冷却水流路１４の全周に沿う形状である。つまり、支持部３４ｂの形状は、上から見たときに、６つの円弧が繋がった形状である。よって、支持部３４ｂでは、上から見た時に円弧状の、一端の端ボア側の各ボア部５６１と、中間ボア側の各ボア部５６２ａと、中間ボア側の各ボア部５６２ｂと、他端の端ボア側の各ボア部５６２ｃと、中間ボア側の各ボア部５６２ｄと、中間ボア側の各ボア部５６２ｅと、が順に繋がっている。また、支持部３４ｂは、合成樹脂の射出成形体である。つまり、支持部３４ｂは合成樹脂で形成されている。
【００６８】
支持部３４ｂの支持部各ボア部のうち、各ボア部保温部３５が固定される支持部各ボア部、すなわち、支持部各ボア部５６２ａ、支持部各ボア部５６２ｂ、支持部各ボア部５６２ｃ、支持部各ボア部５６２ｄ及び支持部各ボア部５６２ｅには、各ボア壁保温部３５に付設されている金属板バネ３９が、シリンダボア壁の保温具３６ａの背面側から、支持部３４ｂを通り抜けて、溝状冷却水流路１４のシリンダボア側の壁面１７とは反対側の壁面１８に向かって張り出すことができるように、開口４２が形成されている。
【００６９】
そして、シリンダボア壁の保温具３６ａと同様に、シリンダボア壁の保温具３６ｂでは、各ボア壁保温部３５は、上から見たときの円弧方向の中央又は中央近傍のみが、支持部３４ｂに固定されている。
【００７０】
支持部各ボア部には、傾斜壁５０が形成されている支持部各ボア部５６１と、傾斜壁５０が形成されていない支持部各ボア部５６２とがある。なお、冷却水５３は、シリンダボア壁の保温具３６ｂに対して、図３７中の矢印で示す方向に供給される。
【００７１】
支持部各ボア部５６１は、冷却水が溝状冷却水流路内に供給される位置にある各ボア部である。図４４に示すシリンダブロック３１の場合だと、冷却水供給口４４が形成されている位置に、支持部各ボア部５６１がある。
【００７２】
支持部各ボア部５６１には、背面側に、傾斜壁５０が形成されている。傾斜壁５０は、冷却水供給口４４から供給された冷却水が、冷却水通過口４５に向かって流れるように、冷却水が流れ込んでくる位置近傍から冷却水通過口４５に向かう冷却水の流れを作る傾斜壁である。そのため、傾斜壁５０は、冷却水供給口から供給された冷却水の多くが、支持部と溝状冷却水流路のシリンダボア側の壁面とは反対側の壁面との間に流れ込む位置近傍を始点として、上り傾斜で延びている。
【００７３】
支持部ボア間部５４の上部には、冷却水通過口４５が形成されている。冷却水通過口４５は、支持部３４ｂの背面側の冷却水が、支持部３４ｂの内側に通り抜ける通過口である。そして、冷却水通過口４５の近傍には、誘導壁４６が形成されている。誘導壁４６は、冷却水が流れ込んでくる位置から冷却水通過口４５に向かって流れてくる冷却水が、冷却水通過口４５に流れ込むように、冷却水を誘導するための壁である。誘導壁４６には、冷却水通過口４５の上側に上側壁と冷却水流れ方向側の横側に横側壁とがあるので、冷却水通過口４５の斜め下から流れてくる冷却水を、上側壁と横側壁とが堰き止めるため、冷却水は、冷却水通過口４５に流れ込む。また、誘導壁４６の横側壁の下端には、横側壁の下端に向かって上り傾斜の呼び込み壁が繋がっている。呼び込み壁は、冷却水通過口４５より少し下を通過する冷却水を、冷却水通過口２５に集める役割を果たす。なお、図３６に示す形態例では、誘導壁４６ａの呼び込み壁は、傾斜壁５０ａと繋がっている。
【００７４】
支持部各ボア部５６１の冷却水が供給される位置の内側には、縦リブ５５が形成されている。また、支持部３４ｂの各ボア部のうち、支持部各ボア部５６１には、冷却水流れ変更部材６６が形成されている。冷却水流れ変更部材６６は、溝状冷却水流路を流れてきた冷却水の流れを止め、冷却水の流れを上向きに変える部材である。なお、流れの向きを上向きに変えた冷却水は、シリンダブロックの上に設置されているシリンダヘッドの冷却水流路に流れ込む。
【００７５】
シリンダボア壁の保温具３６ｂは、例えば、図４４に示すシリンダブロック３１の溝状冷却水流路１４に設置される。
【００７６】
シリンダボア壁の保温具３６ｂが図４４に示すシリンダロック３１の溝状冷却水流路１４に設置されている状態で、溝状冷却水流路１４に冷却水が供給されたときの冷却水の流れを図４１〜図４４を参照して説明する。図４４は、シリンダブロック３１の冷却水供給口４４から冷却水５３が供給され、シリンダブロック３１の上に設置されているシリンダヘッドの冷却水流路に排出されているときの、溝状冷却水流路を流れる冷却水５３の流れ方向を示す図であり、シリンダブロック３１を上から見た図である。なお、図４４では、説明の都合上、シリンダボア壁の保温具３６ｂの冷却水流れ変更部材６６の輪郭のみを二点鎖線で示し、シリンダボア壁の保温具３６ｂのその他の部分の記載を省略した。図４４に示すように、シリンダブロック３１の構造は、冷却水供給口４４から供給される冷却水が、溝状冷却水流路１４内に設置されているシリンダボア壁の保温具の背面に強く当たらずに、シリンダボア壁の保温具の支持部と溝状冷却水流路のシリンダブロック側の壁面とは反対側の壁面との間を通って、一方の片側半分の溝状冷却水流路１４ａに流れていく構造である。そして、一方の片側半分の溝状冷却水流路１４ａの一端側に流れ込んだ冷却水は、先ず、一方の片側半分の溝状冷却水流路１４ａの一端側から反対側の端に向かって流れ、次いで、一方の片側半分の溝状冷却水流路１４ａの冷却水が流れ込む側の端とは反対側の端まで流れると、他方の片側半分の溝状冷却水流路１４ｂに回り込み、他方の片側半分の溝状冷却水流路１４ｂを、冷却水供給口４４の方に向かって流れる。他方の片側半分の溝状冷却水流路１４ｂにおける冷却水の流れ方向で、冷却水供給口４４の手前には、冷却水流れ変更部材６６があるので、冷却水は、冷却水流れ変更部材６６の位置で流れを上向きに変え、シリンダヘッドの冷却水流路へと排出される。
【００７７】
図４４に示すシリンダブロック３１の冷却水供給口４４から供給された冷却水５３は、先ず、シリンダボア壁の保温具３６ｂの支持部各ボア部５６１と溝状冷却水流路のシリンダボア側の壁面とは反対側の壁面との間を通って、一方の片側半分の溝状冷却水流路１４ａに流れ込む。次いで、一方の片側半分の溝状冷却水流路１４ａの冷却水が流れ込む側には、支持部各ボア部５６１があり、図４１に示すように、支持部各ボア部５６１の背面側には、一方の片側半分の溝状冷却水流路１４ａの入り口近傍に位置する部分６５を始点として、上り傾斜の傾斜壁５０が形成されているので、冷却水５３は、この傾斜壁５０により流れが変えられて、支持部ボア間部５４の上部に形成されている冷却水通過口４５に向かって流れる。つまり、傾斜壁５０により、支持部ボア間部５４の上部に形成されている冷却水通過口４５に向かって流れる冷却水の流れが作られる。図３６に示す形態例のシリンダボア壁の保温具３６ｂには、支持部ボア間部５４の上部３箇所に、冷却水通過口４５ａ、４５ｂ、４５ｃが形成されており、傾斜壁５０ａと傾斜壁５０ｂと傾斜壁５０ｃの３つが、冷却水通過口４５ａに向かう冷却水流れと、冷却水通過口４５ｂに向かう冷却水流れと、冷却水通過口４５ｃに向かう冷却水流れとを作る。次いで、冷却水通過口４５の近傍には、冷却水通過口４５に向かって流れてきた冷却水５３が冷却水通過口４５に流れ込むように誘導する誘導壁４６が形成されているので、冷却水通過口４５に向かって流れてきた冷却水５３は、誘導壁４６よって、冷却水通過口４５に流れ込み、支持部３４ｂの外側から内側へと流れていく。冷却水通過口４５は、支持部ボア間部５４の上部に形成されているので、冷却水通過口４５の先には、各シリンダボアのボア壁の境界１９２及びその近傍の上部がある。そして、一方の片側半分の溝状冷却水流路１４ａの各ボア部５６１の背面側に流れ込んでくる冷却水５３は、温度が低く、また、各シリンダボアのボア壁の境界１９２及びその近傍の上部は、溝状冷却水流路のシリンダボア側の壁面のうち、最も温度が高くなる部分である。そのため、シリンダボア壁の保温具３６ｂによれば、一方の片側半分の溝状冷却水流路１４ａの支持部各ボア部５６１の背面側に流れ込んでくる冷却水５３、すなわち、温度が低い冷却水を、溝状冷却水流路のシリンダボア側の壁面のうち、最も温度が高くなる部分に当てることができるので、冷却効率が高くなる。
【００７８】
また、一方の片側半分の溝状冷却水流路１４ａの支持部各ボア部５６１、支持部各ボア部５６２ａ、支持部各ボア部５６２ｂの背面側の冷却水のうち、冷却水通過口４５に流れ込まなかった冷却水は、支持部各ボア部５６２ｃの背面側を流れて、他方の片側半分の溝状冷却水流路１４ｂに流れ、支持部各ボア部５６２ｄの背面側、支持部各ボア部５６２ｅの背面側と流れていき、冷却水流れ変更部材６６が形成されている位置まで流れていく。図４３に示すように、冷却水流れ変更部材６６まで流れてきた冷却水５３は、冷却水流れ変更壁６６１に当たり、流れ方向を上向きに変えて流れ、シリンダブロック３１の上に設置されているシリンダヘッドの冷却水流路へと流れていく。なお、冷却水流れ変更部材６６には、冷却水５３を冷却水流れ変更壁６６１に向かって流れ込ませ且つ冷却水が冷却水流れ変更壁６６１と溝状冷却水流路のシリンダボア側の壁面とは反対側の壁面との隙間を通り抜け難くするために、冷却水流れ変更壁６６１の横側且つ流れ方向の手前に張り出す囲い壁６６２が形成されている。
【００７９】
また、冷却水流れ変更部材６６の冷却水流れ変更壁６６１は、冷却水供給口４４から溝状冷却水流路１４に供給された冷却水が、支持部各ボア部５６２ｅの方に向かって冷却水が流れるのを防ぐ役割も果たす。
【００８０】
本発明の第一の形態のシリンダボア壁の保温具は、シリンダボアを有する内燃機関のシリンダブロックの溝状冷却水流路に設置され、周方向に見たときに、全シリンダボアのボア壁の周方向全部又は全シリンダボアのボア壁のうちの周方向の一部を保温するための保温具であり、
上から見たときに円弧形状を有し、該溝状冷却水流路のシリンダボア側の壁面を保温するための各ボア壁保温部と、該保温具の設置位置の該溝状冷却水流路の形状に沿う形状を有し、該各ボア壁保温部が固定される支持部と、を有し、
該各ボア壁保温部は、該溝状冷却水流路のシリンダボア側の壁面に接触し、該溝状冷却水流路のシリンダボア側の壁面を覆うためのゴム部材と、該ゴム部材の背面側に設けられ、該ゴム部材全体を背面側から該溝状冷却水流路のシリンダボア側の壁面に向かって押し付けるための背面押し付け部材と、該溝状冷却水流路のシリンダボア側の壁面に向かって、該背面押し付け部材が該ゴム部材を押し付けるように付勢する弾性部材と、を有し、
該各ボア壁保温部が固定される支持部各ボア部には、該弾性部材が該支持部の内側から背面側に抜けるための開口が形成されており、
支持部ボア間部の上部の少なくとも一箇所に、該支持部の背面側の冷却水が内側に通り抜けるための冷却水通過口が形成されており、
該支持部は、該冷却水通過口近傍に、該冷却水通過口に冷却水が流れ込むように冷却水を誘導する誘導壁を有し、該溝状冷却水流路に冷却水が供給される位置の支持部の背面側に、上り傾斜で延び、該冷却水通過口に向かう冷却水の流れを作る傾斜壁を有し、
該各ボア壁保温部は、円弧方向の中央又は中央近傍のみが、該支持部に固定されていること、
を特徴とするシリンダボア壁の保温具である。
【００８１】
本発明の第一の形態のシリンダボア壁の保温具は、内燃機関のシリンダブロックの溝状冷却水流路に設置される。本発明のシリンダボア壁の保温具が設置されるシリンダブロックは、シリンダボアが直列に２つ以上並んで形成されているオープンデッキ型のシリンダブロックである。シリンダブロックが、シリンダボアが直列に２つ並んで形成されているオープンデッキ型のシリンダブロックの場合、シリンダブロックは、２つの端ボアからなるシリンダボアを有している。また、シリンダブロックが、シリンダボアが直列に３つ以上並んで形成されているオープンデッキ型のシリンダブロックの場合、シリンダブロックは、２つの端ボアと１つ以上の中間ボアとからなるシリンダボアを有している。なお、本発明では、直列に並んだシリンダボアのうち、両端のボアを端ボアと呼び、両側が他のシリンダボアで挟まれているボアを中間ボアと呼ぶ。
【００８２】
本発明の第一の形態のシリンダボア壁の保温具が設置されるのは、溝状冷却水流路である。内燃機関の多くでは、シリンダボアの溝状冷却水流路の中下部に相当する位置が、ピストンの速さが速くなる位置なので、この溝状冷却水流路の中下部を保温することが好ましい。図２では、溝状冷却水流路１４の最上部９と最下部８の中間近傍の位置１０を、点線で示しているが、この中間近傍の位置１０から下側の溝状冷却水流路１４の部分を、溝状冷却水流路の中下部と呼ぶ。なお、溝状冷却水流路の中下部とは、溝状冷却水流路の最上部と最下部の丁度中間の位置から下の部分という意味ではなく、最上部と最下部の中間位置の近傍から下の部分という意味である。また、内燃機関の構造によっては、ピストンの速さが速くなる位置が、シリンダボアの溝状冷却水流路の下部に当たる位置である場合もあり、その場合は、溝状冷却水流路の下部を保温することが好ましい。よって、溝状冷却水流路の最下部からどの位置までを本発明のシリンダボア壁の保温具で保温するか、つまり、ゴム部材の上端の位置を溝状冷却水流路の上下方向のどの位置にするかは、適宜選択される。
【００８３】
本発明の第一の形態のシリンダボア壁の保温具は、溝状冷却水流路のシリンダボア側の壁面を保温するための保温部と、保温部が固定される支持部と、を有する。そして、本発明の第一の形態のシリンダボア壁の保温具は、周方向に見たときに、溝状冷却水流路のシリンダボア側の壁面の周方向全部又は溝状冷却水流路のシリンダボア側の壁面のうちの周方向の一部を保温するための保温具である。つまり、本発明の第一の形態のシリンダボア壁の保温具は、周方向に見たときに、全シリンダボアのボア壁を周方向に全部又は全シリンダボアのボア壁を周方向に一部保温するための保温具である。本発明の第一の形態のシリンダボア壁の保温具のとしては、例えば、図５に示す形態例及び図３１に示す形態例のように、全シリンダボアのボア壁のうち片側の一部を保温するための保温具、図３２に示す形態例のように、全シリンダボアのボア壁の一方の片側半分と他方の片側の一部を保温するための保温具が挙げられる。なお、本発明において、片側半分とは、シリンダボア壁又は溝状冷却水流路の周方向の片側半分との意味である。
【００８４】
本発明の第一の形態のシリンダボア壁の保温具では、各ボア壁保温部は、各ボア壁保温部で保温しようとする各シリンダボアのボア壁毎に設置される。各ボア壁保温部の数及び設置範囲は、各ボア壁保温部で保温しようとする各シリンダボアのボア壁の数及び保温部位によって、適宜選択される。本発明の第一の形態のシリンダボア壁の保温具では、１つの支持部各ボア部に１つの各ボア壁保温部が設置されていてもよいし、１つの支持部各ボア部に２つの各ボア壁保温部が設置されていてもよいし、１つの支持部各ボア部に３つ以上の各ボア壁保温部が設置されていてもよいし、あるいは、これらの組み合わせであってもよいし、あるいは、支持部各ボア部の一部に各ボア壁保温部が設置されていないものがあってもよい。例えば、図５に示すシリンダボア壁の保温具３６ａでは、中間ボアのボア壁側の支持部各ボア部及び冷却水が供給される位置とは反対側の端ボアのボア壁側の支持部各ボア部に対しては各ボア壁保温部が１つ設置されており、冷却水が供給される位置の端ボアのボア壁側の支持部各ボア部には各ボア壁保温部は設置されていない。また、図３１に示すシリンダボア壁の保温具３６ｃでは、中間ボアの一方のボア壁側の支持部各ボア部及び冷却水が供給される位置とは反対側の端ボアのボア壁側の支持部各ボア部に対しては各ボア壁保温部が１つ設置されており、冷却水が供給される位置の端ボアのボア壁側の支持部各ボア部及び中間ボアの他方のボア壁側の支持部各ボア部には各ボア壁保温部が設置されていない。また、図３２に示すシリンダボア壁の保温具３６ｄでは、冷却水が供給される位置の端ボアとは反対側の端ボアのボア壁側の支持部各ボア部に対しては各ボア壁保温部が２つ設置されており、中間ボアのボア壁側の支持部各ボア部及び冷却水が供給される位置の端ボアのボア壁側の支持部各ボア部に対しては各ボア壁保温部が１つ設置されている。また、図３３（Ｄ）に示す形態例では、各シリンダボアのボア壁側の支持部各ボア部１つに対して２つの各ボア壁保温部が設置されている。また、本発明の第一の形態のシリンダボア壁の保温具では、接触面側から見たときに、１つの支持部各ボア部の略全体に各ボア壁保温具が設置されていてもよいし、１つの支持部各ボア部の一部分に各ボア壁保温具が設置されていてもよいし、あるいは、これらの組み合わせであってもよい。例えば、図３３（Ａ）に示す形態例では、接触面側から見たときに、支持部各ボア部３６２の略全体に各ボア壁保温部３５が設置されている。また、図３３（Ｂ）に示す形態例では、接触面側から見たときに、支持部各ボア部４６２ｂの略下側半分に各ボア壁保温部３５ｆが設置されている。また、図３３（Ｃ）に示す形態例では、接触面側から見たときに、支持部各ボア部４６２ｃの略上側半分に各ボア壁保温部３５ｅが設置されている。また、図３３（Ｄ）に示す形態例では、接触面側から見たときに、支持部各ボア部４６２ｄの左下略４分の１に各ボア壁保温部３５ｄ１が、右上略４分の１に各ボア壁保温部３５ｄ２が設置されている。図３３（Ｂ）、（Ｃ）及び（Ｄ）に示す形態例では、図３３（Ａ）に示す形態例より更に細かく保温範囲を設定するができる。なお、支持部各ボア部とは、各シリンダボアのボア壁側の支持部の部分のことであり、上から見たときの支持部を形成する円弧形状の１つ分である。また、図３３は、本発明の第一の形態のシリンダボア壁の保温具の形態例の模式図であり、支持部各ボア部の１つ分を示した図であり、左側が各形態例を背面側から見た図であり、右側が各形態例を接触面側から見た図である。
【００８５】
また、支持部は、各ボア壁保温部が固定されて支持される支持部材であり、各ボア壁保温部が固定されることにより、各ボア壁保温部の位置が溝状冷却水流路内でずれないように、各ボア壁保温部の位置を定める役割をするので、支持部は、上から見たときに、本発明のシリンダボア壁の保温具が設置される溝状冷却水流路に沿う形状を有する。例えば、支持部の形状としては、シリンダブロックの溝状冷却水流路の全部に対応する形状（すなわち、シリンダボア壁を一周囲む形状）、片側半分に対応する形状、片側の一部に対応する形状、一方の片側半分と、それに繋がる他方の片側の一部に対応する形状、一方の片側半分の一部と、それに繋がる他方の片側の一部に対応する形状等が挙げられる。
【００８６】
また、図５に示す形態例、図３１に示す形態例及び図３２に示す形態例では、冷却水が供給される位置の支持部各ボア部の内側には、各ボア壁保温部は固定されていないが、これらに限定されず、本発明の第一の形態のシリンダボア壁の保温具では、冷却水が供給される位置の支持部各ボア部の内側に、各ボア壁保温部は固定されていてもよいし、あるいは、冷却水が供給される位置の支持部各ボア部の内側に、各ボア壁保温部が固定されていなくてよい。また、本発明の第一の形態のシリンダボア壁の保温具に係る各ボア壁保温部には該当しない保温用のゴム部材等が設置されていてもよい。
【００８７】
各ボア壁保温部は、ゴム部材と、背面押し付け部材と、弾性部材と、を有する。
【００８８】
ゴム部材は、溝状冷却水流路のシリンダボア側の壁面に直接接して、溝状冷却水流路のシリンダボア側の壁面を覆い、シリンダボア壁を保温する部材であり、弾性部材の付勢力で、背面押し付け部材により、溝状冷却水流路のシリンダボア側の壁面に押し付けられる。そのため、このゴム部材は、上から見たときに、溝状冷却水流路のシリンダボア側の壁面に沿う形状、つまり、円弧状の形状に成形されている。また、ゴム部材を横から見たときの形状は、ゴム部材で覆わせようとする溝状冷却水流路のシリンダボア側の壁面の部分に合わせて、適宜選択される。
【００８９】
ゴム部材の材質としては、例えば、ソリッドゴム、膨張ゴム、発泡ゴム、軟性ゴム等のゴム、シリコーン系ゲル状素材等が挙げられる。シリンダボア壁の保温具を溝状冷却水流路内に設置するときに、ゴム部材がシリンダボア壁に強く接触して、ゴム部材が削られるのを防ぐことができる点で、シリンダボア壁の保温具の設置後に、溝状冷却水流路内でゴム部材部分を膨張させることができる感熱膨張ゴム又は水膨潤性ゴムが好ましい。
【００９０】
ソリッドゴムの組成としては、天然ゴム、ブタジエンゴム、エチレンプロピレンジエンゴム（ＥＰＤＭ）、ニトリルブタジエンゴム（ＮＢＲ）、シリコーンゴム、フッ素ゴム等が挙げられる。
【００９１】
膨張ゴムとしては、感熱膨張ゴムが挙げられる。感熱膨張ゴムは、ベースフォーム材にベースフォーム材より融点が低い熱可塑性物質を含浸させ圧縮した複合体であり、常温では少なくともその表層部に存在する熱可塑性物質の硬化物により圧縮状態が保持され、且つ、加熱により熱可塑性物質の硬化物が軟化して圧縮状態が開放される材料である。感熱膨張ゴムとしては、例えば、特開２００４−１４３２６２号公報に記載の感熱膨張ゴムが挙げられる。ゴム部材の材質が感熱膨張ゴムの場合は、本発明のシリンダボア壁の保温具が溝状冷却水流路に設置され、感熱膨張ゴムに熱が加えられることで、感熱膨張ゴムが膨張して、所定の形状に膨張変形する。
【００９２】
感熱膨張ゴムに係るベースフォーム材としては、ゴム、エラストマー、熱可塑性樹脂、熱硬化性樹脂等の各種高分子材料が挙げられ、具体的には、天然ゴム、クロロプロピレンゴム、スチレンブタジエンゴム、ニトリルブタジエンゴム、エチレンプロピレンジエン三元共重合体、シリコーンゴム、フッ素ゴム、アクリルゴム等の各種合成ゴム、軟質ウレタン等の各種エラストマー、硬質ウレタン、フェノール樹脂、メラミン樹脂等の各種熱硬化性樹脂が挙げられる。
【００９３】
感熱膨張ゴムに係る熱可塑性物質としては、ガラス転移点、融点又は軟化温度のいずれかが１２０℃未満であるものが好ましい。感熱膨張ゴムに係る熱可塑性物質としては、ポリエチレン、ポリプロピレン、ポリスチレン、ポリ塩化ビニル、ポリ塩化ビニリデン、ポリ酢酸ビニル、ポリアクリル酸エステル、スチレンブタジエン共重合体、塩素化ポリエチレン、ポリフッ化ビニリデン、エチレン酢酸ビニル共重合体、エチレン酢酸ビニル塩化ビニルアクリル酸エステル共重合体、エチレン酢酸ビニルアクリル酸エステル共重合体、エチレン酢酸ビニル塩化ビニル共重合体、ナイロン、アクリロニトリルブタジエン共重合体、ポリアクリロニトリル、ポリ塩化ビニル、ポリクロロプレン、ポリブタジエン、熱可塑性ポリイミド、ポリアセタール、ポリフェニレンサルファイド、ポリカーボネート、熱可塑性ポリウレタン等の熱可塑性樹脂、低融点ガラスフリット、でんぷん、はんだ、ワックス等の各種熱可塑性化合物が挙げられる。
【００９４】
また、膨張ゴムとしては、水膨潤性ゴムが挙げられる。水膨潤性ゴムは、ゴムに吸水性物質が添加された材料であり、水を吸収して膨潤し、膨張した形状を保持する保形性を有するゴム材である。水膨潤性ゴムとしては、例えば、ポリアクリル酸中和物の架橋物、デンプンアクリル酸グラフト共重合体架橋物、架橋カルボキシメチルセルロース塩、ポリビニルアルコール等の吸水性物質がゴムに添加されたゴム材が挙げられる。また、水膨潤性ゴムとしては、例えば、特開平９−２０８７５２号公報に記載されているケチミン化ポリアミド樹脂、グリシジルエーテル化物、吸水性樹脂及びゴムを含有する水膨潤性ゴムが挙げられる。ゴム部材の材質が水膨潤性ゴムの場合は、本発明のシリンダボア壁の保温具が溝状冷却水流路に設置され冷却水が流されて、水膨潤性ゴムが水を吸収することで、水膨潤性ゴムが膨張して所定の形状に膨張変形する。
【００９５】
発泡ゴムは、多孔質のゴムである。発泡ゴムとしては、連続気泡構造を有するスポンジ状の発泡ゴム、独立気泡構造を有する発泡ゴム、半独立発泡ゴム等があげられる。発泡ゴムの材質としては、具体的には、例えば、エチレンプロピレンジエン三元共重合体、シリコーンゴム、ニトリルブタジエン共重合体、シリコーンゴム、フッ素ゴム等が挙げられる。発泡ゴムの発泡率は、特に制限されず、適宜選択され、発泡率を調節することにより、ゴム部材の含水率を調節することができる。なお、発泡ゴムの発泡率とは、（（発泡前密度−発泡後密度）／発泡前密度）×１００で表される発泡前後の密度割合を指す。
【００９６】
ゴム部材の材質が水膨潤性ゴム、発泡ゴムのように、含水することができる材料の場合、本発明のシリンダボア壁の保温具が、溝状冷却水流路内に設置され、溝状冷却水流路に冷却水が流されたときに、ゴム部材が含水する。溝状冷却水流路に冷却水が流されたときに、ゴム部材の含水率を、どのような範囲とするかは、内燃機関の運転条件等により、適宜選択される。なお、含水率とは、（冷却水重量／（充填剤重量＋冷却水重量））×１００で表される重量含水率を指す。
【００９７】
ゴム部材の材質として、膨張ゴムを用いる場合、図３５に示すように、膨張前に比べ、膨張後のゴム部材３１ｃの表面２６ｃの位置が、折り曲げ部４０ｃよりボア壁側に（溝状冷却水流路のシリンダボア側の壁面寄りに）、膨張するように設計することが好ましい。図３５に示す形態例では、ゴム部材３１ｃが溝状冷却水流路内で弾性部材３９により付勢される前且つ膨張する前は（図３５（Ａ））、ゴム部材３１ｃの接触面の曲率が、ゴム部材が接触する各シリンダボアのボア壁２３の曲率より大きい。そのため、ゴム部材３１ｃとボア壁２３との間に隙間がある。そして、その状態から、ゴム部材３１ｃが弾性部材により付勢され且つ膨張すると（図３５（Ｂ））、ゴム部材３１ｃの表面２６ｃの位置が、折り曲げ部４０ｃよりボア壁側になるように、ゴム部材３１ｃが膨張すると共に、各ボア壁保温部３５ｃの円弧方向の中央又は中央近傍の部分が、弾性部材３９により背面側から押されることにより、各ボア壁保温部３５の円弧方向の中央又は中央近傍以外の部分が、支持部３４ｃとは独立して、各ボア壁保温部３５の円弧方向の両端側の部分が、外に開くように変形する。また、本発明の第一の形態のシリンダボア壁の保温具では、このような、各ボア壁保温部のゴム部材の接触面の曲率が、ゴム部材が接触する各シリンダボアのボア壁の曲率より大きい場合に、各ボア壁保温部の円弧方向の中央又は中央近傍の部分が、弾性部材により背面側から押されて、各ボア壁保温部の円弧方向の中央又は中央近傍以外の部分が、支持部とは独立して、各ボア壁保温部の円弧方向の両端側の部分が、外に開くように変形することは、ゴム部材が膨張ゴムであっても、ゴム部材が膨張しないゴムであっても、起こる。なお、各ボア壁保温部のゴム部材が膨張ゴムの場合、各ボア壁保温部には、本発明の第一の形態のシリンダボア壁の保温具が溝状冷却水流路に設置された後、膨張ゴムが、冷却水に接触し又は加熱されることによって膨張して、溝状冷却水流路のシリンダボア側の壁面に接触するようになる形態もある。
【００９８】
ゴム部材の厚みは、特に制限されず、適宜選択される。
【００９９】
背面押し付け部材は、上から見たときに、円弧状に成形されており、ゴム部材の全体をゴム部材の背面側から押し付けることができるように、ゴム部材の背面側（接触面側とは反対側の面）に沿う形状であり、ゴム部材の背面側全体又はほぼ背面側全体を覆う形状である。背面押し付け部材の材質は、弾性部材により背面側から押されたときに、ゴム部材を溝状冷却水流路のシリンダボア側の壁面に向かって押し付けることができるよう変形できるものであればよく、適宜選択されるが、ステンレス鋼、アルミニウム合金等の金属板が好ましい。背面押し付け部材の厚みは、弾性部材により背面側から押し付けられたときに、ゴム部材を溝状冷却水流路のシリンダボア側の壁面に向かって押し付けることができるよう変形できるものであればよく、適宜選択される。
【０１００】
弾性部材は、各ボア壁保温部の背面側に付設されている。この弾性部材は、本発明のシリンダボア壁の保温具が、溝状冷却水流路に設置されることにより、弾性変形し、溝状冷却水流路のシリンダボア側の壁面に向かって、背面押し付け部材がゴム部材を押し付けるように、弾性力により付勢するための部材である。
【０１０１】
弾性部材は、各ボア壁保温部を上から見たときに、各ボア壁保温部の円弧方向に、２つ以上付設されている。弾性部材の付設箇所が１つの場合、保温具全体を押し付けるために、弾性部材を各ボア壁保温部の円弧方向の中央又は中央近傍に付設することになるが、これだと、各ボア壁保温部の中央又は中央近傍は、支持部に固定されているので、各ボア壁保温部を支持部と一緒に押し付けることになる。そのため、各ボア壁保温部が、支持部とは独立に、各ボア壁保温部の端の方の部分が支持部から離れて変形して、溝状冷却水流路のシリンダボア側の壁面に向かって、ゴム部材が押し付けられることはない。このようなことから、各ボア壁保温部の両方の端の方の部分が、支持部とは独立に、支持部から離れて変形して、溝状冷却水流路のシリンダボア側の壁面に向かって、ゴム部材を押し付けられるように、弾性部材は、少なくとも、各ボア壁保温部の一方の端側寄りに１か所、他方の端寄りに１か所の合計２か所に付設されている必要がある。そして、各ボア壁保温部の全体が押し付けられ、且つ、各ボア壁保温部の両方の端の方の部分が、支持部とは独立に押し付けされるように、弾性部材が、各ボア壁保温部の円弧方向の中央又は中央近傍に１か所、各ボア壁保温部の一方の端側寄りに１か所、他方の端寄りに１か所の合計３か所に付設されていることが好ましい。更に、各ボア壁保温部のゴム部材の溝状冷却水流路のシリンダボア側の壁面への密着性を高めるために、円弧方向の４か所以上に弾性部材が付設されていてもよい。
【０１０２】
弾性部材の形態は、特に制限されず、例えば、板状の弾性部材、コイル状の弾性部材、重ね板バネ、トーションバネ、弾性ゴム等が挙げられる。弾性部材の材質は、特に制限されないが、耐ＬＬＣ性が良く及び強度が高い点で、ステンレス鋼（ＳＵＳ）、アルミニウム合金等が好ましい。弾性部材としては、金属板バネ、コイルバネ、重ね板バネ、トーションバネ等の金属弾性部材が好ましい。
【０１０３】
弾性部材としては、溝状冷却水流路のシリンダボア側の壁面とは反対側の壁面に接する部分及びその近傍が、溝状冷却水流路のシリンダボア側の壁面とは反対側の壁面に対して膨出する曲面状に成形されていることが、本発明のシリンダボア壁の保温具を溝状冷却水流路内に挿入するときに、弾性部材の壁面との接触部分により、溝状冷却水流路のシリンダボア側の壁面とは反対側の壁面が傷付けられるのを防ぐことができる点で好ましい。このような形態例としては、図３０に示す形態例が挙げられる。図３０中、各ボア壁保温具３５ａの背面側には、金属板バネ３９ａが付設されている金属板バネ付設部材３３ａが設けられている。図３０（Ａ）に示すように、金属板バネ３９ａの先端部２７ａは、折り返し部２７１が、各ボア壁保温部３５ａ側に折り曲げられることにより形成されている。そして、図３０（Ｂ）及び（Ｃ）に示すように、先端部２７ａは、接触する壁面（溝状冷却水流路のシリンダボア側の壁面とは反対側の壁面）に対して膨出する曲面状に成形されている。つまり、図３０に示す形態例では、弾性部材である金属板バネのうち、溝状冷却水流路のシリンダボア側の壁面とは反対側の壁面に接触する先端部分が、溝状冷却水流路のシリンダボア側の壁面とは反対側の壁面に対して膨出する曲面状に成形されている。なお、図３０（Ａ）は各ボア壁保温部３５ａの端面図であり、各ボア壁保温部３５ａを円弧方向の中央で垂直に切った端面図であり、また、図３０（Ｂ）は各ボア壁保温部３５ａが固定されている支持部各ボア部を背面側斜め上から見た図であり、また、図３０（Ｃ）は図３０（Ｂ）中の点線で囲った部分Ａを上から見た図である。
【０１０４】
本発明の第一の形態のシリンダボア壁の保温具では、溝状冷却水流路に設置されたときに、弾性部材により、ゴム部材が適切な押し付け力で付勢されるように、溝状冷却水流路の形状等に合わせて、弾性部材の形態、形状、大きさ、設置位置、設置数等が、適宜選択される。
【０１０５】
図５に示すシリンダボア壁の保温具３６ａでは、金属板バネ付設部材と弾性部材である金属板バネが一体成形され、金属板バネが形成されている金属板バネ付設部材に、ゴム部材及び背面押し付け部材が固定されることにより、弾性部材が各ボア壁保温部に付設されているが、各ボア壁保温部に弾性部材を付設する方法は、特に制限されない。他の方法としては、例えば、金属板バネ、金属コイルバネ、重ね板バネ又はトーションバネ等の金属製の弾性部材を金属板からなる背面押し付け部材に溶接し、弾性部材が溶接された背面押し付け部材に、ゴム部材を固定する方法等が挙げられる。図３４に示す形態例では、金属板からなり且つ上下にゴム部材を固定するための折り曲げ部４０ｄ及び保温具を支持部に固定するための折り曲げ部３７ｄが形成されている背面押し付け部材４７に、縦長の矩形の金属板からなる金属板バネ３９ｄが、溶接されている。
【０１０６】
各ボア壁保温部の形態例としては、図２８及び図２９に示す形態例が挙げられる。図２８に示すように、膨張ゴムであるゴム部材３１ｇに、その背面側から背面押し付け部材３２と、金属板バネ３９が付設され且つ折り曲げ部４０、折り曲げ部４１及び折り曲げ部３７が形成されている金属板バネ付設部材３３ｇと、を順に合わせ、更に、ゴム部材３１ｇの接触面側に、ロ字状の金属薄板からなるロ字状当て板３０を合わせる。次いで、折り曲げ部４０及び折り曲げ部４１を折り曲げて、図２９に示すように、折り曲げ部４０及び折り曲げ部４１で、背面押し付け部材３２、ゴム部材３１ｇ及びロ字状当て板３０を挟み込ませることにより、金属板バネ付設部材３３ｇに、背面押し付け部材３２、ゴム部材３１ｇ及びロ字状当て板３０を固定して、各ボア壁保温部３５ｃを作製する。つまり、各ボア壁保温部としては、膨張ゴムであるゴム部材と、背面押し付け部材と、弾性部材と、ゴム部材の接触面側に配置され、ロ字状の金属板からなるロ字状当て板と、を有する各ボア壁保温部が挙げられる。ロ字状当て板は、接触面側から見たときに、ロ字状であるので、ゴム部材の面の４辺側の端に接している。言い換えると、ロ字状当て板は、内側に矩形の開口を有している。そして、膨張ゴムであるゴム部材が膨張することにより、この開口の部分から、膨張ゴムが、当て板よりも外に飛び出し、飛び出した部分の表面がゴム部材の接触面となる。このようなロ字状当て板を有する各ボア壁保温部では、ゴム部材を固定するための折り曲げ部が、直接ゴム部材に接触せず、且つ、折り曲げ部に比べ非常に接触面積が大きいロ字状当て板がゴム部材に接触するので、ゴム部材との接触面積が小さい折り曲げ部が、ゴム部材に食い込むことにより、ゴム部材がちぎれ易くなることを防ぐことができる。
【０１０７】
本発明の第一の形態のシリンダボア壁の保温具では、溝状冷却水流路のシリンダボア側の壁面の方に、ゴム部材の接触面が向き、ゴム部材の接触面が、溝状冷却水流路のシリンダボア側の壁面に接触できるように、各ボア壁保温部が支持部に固定されている。また、本発明の第一の形態のシリンダボア壁の保温具の背面側では、各ボア壁保温部に付設されている弾性部材が、溝状冷却水流路のシリンダボア側の壁面とは反対側の壁面に接触できるように、支持部の開口を通り抜けて、ゴム部材とは反対側に向けて張り出している。
【０１０８】
支持部に固定される各ボア壁保温部の数は、各ボア壁保温部により保温しようとする各シリンダボアのボア壁の数、保温部位により、適宜選択される。
【０１０９】
支持部は、溝状冷却水流路内での各ボア壁保温部の位置がずれないように、各ボア壁保温部が固定される部材であるので、本発明のシリンダボア壁の保温具の設置位置の溝状冷却水流路に沿った形状をしており、上から見たときに、全シリンダボアを一周囲む形状又は複数の円弧が連続する形状に成形されている。支持部は、合成樹脂製、金属製等が挙げられる。支持部は、合成樹脂製が好ましく、合成樹脂製の支持部は、通常、合成樹脂の射出成形により、冷却水流れ仕切り部材等の支持部に付設される部材と共に、一体成形されて作製される。支持部の材料は、耐熱性及び耐ＬＬＣ性を有していれば、特に制限されず、シリンダボアのボア壁の保温具やウォータージャケットスペーサに用いられる合成樹脂、金属材等であればよい。
【０１１０】
支持部には、支持部より溝状冷却水流路のシリンダボア側の壁面側にある各ボア壁保温部に付設されている弾性部材が、溝状冷却水流路のシリンダボア側の壁面とは反対側の壁面に接することができるように、弾性部材が通り抜ける開口部が形成されている。
【０１１１】
本発明の第一の形態のシリンダボア壁の保温具は、支持部各ボア部の全てに各ボア壁保温部が設置されているものであっても、全支持部各ボア部のうちの一部に各ボア壁保温部が設置されているものであってもよい。全支持部各ボア部のうちの一部に各ボア壁保温部が設置されている本発明のシリンダボア壁の保温具の形態としては、例えば、支持部の形状が、全シリンダボアのボア壁を一周囲む形状であり、各ボア壁保温部が、全支持部各ボア部のうちの一部に設置されている保温具、例えば、図３１に示すシリンダボア壁の保温具３６ｃや、支持部の形状が、全シリンダボアのボア壁のうち片側半分に対応する形状であり、各ボア壁保温部が、全支持部各ボア部のうちの一部に設置されている保温具、例えば、図５に示すシリンダボア壁の保温具３６ａが挙げられる。また、全支持部各ボア部のうちの全部に各ボア壁保温部が設置されている本発明のシリンダボア壁の保温具の形態としては、例えば、支持部の形状が、全シリンダボアのボア壁を一周囲む形状であり、各ボア壁保温部が、全支持部各ボア部のうちの全部に設置されている保温具、例えば、図３２に示すシリンダボア壁の保温具３６ｃが挙げられる。
【０１１２】
本発明のシリンダボア壁の保温具（本発明の第一の形態のシリンダボア壁の保温具及び後述する本発明の第二の形態のシリンダボア壁の保温具）では、各ボア壁保温部は、上から見たときの円弧方向の中央又は中央近傍のみ、支持部に固定されている。よって、本発明のシリンダボア壁の保温具では、各ボア壁保温部のうち、円弧方向の中央又は中央近傍以外の部分は、支持部には固定されていないので、弾性部材により背面側から押されたときに、各ボア壁保温部の円弧方向の中央又は中央近傍以外の部分は、支持部から離れて、溝状冷却水流路のシリンダボア側の壁面に向かうように変形することができる。あるいは、各ボア壁保温部の円弧方向の中央又は中央近傍の部分が、弾性部材により背面側から押されたときに、各ボア壁保温部の円弧方向の中央又は中央近傍以外の部分は、支持部とは独立して、各ボア壁保温部の円弧方向の両端側の部分が、外に開くように変形することができる。
【０１１３】
このようなことから、本発明のシリンダボア壁の保温具（本発明の第一の形態のシリンダボア壁の保温具及び後述する本発明の第二の形態のシリンダボア壁の保温具）では、シリンダボア壁の保温具の作製又はシリンダブロックの作製において、加工誤差のために、各ボア壁保温部のゴム部材の接触面の曲率が、ゴム部材が接触する各シリンダボアのボア壁の曲率より小さくなっていても、各ボア壁保温部の円弧方向の中央又は中央近傍以外の部分が、弾性部材により背面側から押されることにより、支持部から離れて、溝状冷却水流路のシリンダボア側の壁面に向かうように変形して、ゴム部材が溝状冷却水流路のシリンダボア側の壁面に密着することができるので、ゴム部材の溝状冷却水流路のシリンダボア側の壁面への密着性が高くなる。あるいは、加工誤差のために、各ボア壁保温部のゴム部材の接触面の曲率が、ゴム部材が接触する各シリンダボアのボア壁の曲率より大きくなっていても、各ボア壁保温部の円弧方向の両端側の部分が、外に開くように変形して、ゴム部材が溝状冷却水流路のシリンダボア側の壁面に密着することができるので、ゴム部材の溝状冷却水流路のシリンダボア側の壁面への密着性が高くなる。
【０１１４】
特に、本発明のシリンダボア壁の保温具（本発明の第一の形態のシリンダボア壁の保温具及び後述する本発明の第二の形態のシリンダボア壁の保温具）のゴム部材として、感熱膨張ゴムや水膨潤ゴムのような膨張ゴムを用いる場合、膨張前のゴム部材の接触面の加工を精度良く行っても、ゴム部材を膨張させたときの膨張量のムラにより、膨張後のゴム部材の接触面の形状が、密着する相手である溝状冷却水流路のシリンダボア側の壁面の表面形状とずれることがある。そのような場合にも、本発明のシリンダボア壁の保温具では、各ボア壁保温部の円弧方向の中央又は中央近傍以外の部分が、弾性部材により背面側から押されることにより、支持部から離れて、溝状冷却水流路のシリンダボア側の壁面に向かうように変形して、あるいは、各ボア壁保温部の円弧方向の両端側の部分が、外に開くように変形して、ゴム部材が溝状冷却水流路のシリンダボア側の壁面に密着することができるので、ゴム部材の溝状冷却水流路のシリンダボア側の壁面への密着性が高くなる。
【０１１５】
なお、図２２では、本発明の効果の説明のため、保温部の両端側全体に、ゴム部材の両端側の接触面とボア壁との間に大きな隙間ができている図（図２２（Ａ））を用いたが、実際は、これほど大きな加工誤差が生じることはない。しかし、実際に、加工誤差により、小さな隙間が生じたり、部分的にゴム部材の接触面とボア壁が離れていたりすることはある。
【０１１６】
本発明の第一の形態のシリンダボア壁の保温具において、各ボア壁保温部が支持部に固定される範囲、具体的には、上から見たときの円弧方向の固定部分の長さ及び横から見たときの上下方向の固定部分の長さは、本発明の効果を奏する範囲で、適宜選択される。例えば、図５に示す形態例のように、上から見たときの各ボア壁保温部の円弧方向の中央近傍且つ横から見たときの各ボア壁保温部の上端側と下端側のみで、各ボア壁保温部を支持部に固定することができる。
【０１１７】
支持部各ボア部には、背面側に傾斜壁が形成されている支持部各ボア部と、傾斜壁が形成されていない支持部各ボア部とがある。
【０１１８】
背面側に傾斜壁が形成されている支持部各ボア部は、冷却水が溝状冷却水流路内に供給される位置にある支持部各ボア部である。そして、本発明のシリンダボア壁の保温具には、冷却水が供給される位置の支持部各ボア部に、傾斜壁に加え、冷却水当たり面及び冷却水流れ抑制壁が形成されている形態（以下、本発明の第一（Ａ）の形態のシリンダボア壁の保温具とも記載する。）と、冷却水が供給される位置の支持部各ボア部に、傾斜壁は形成されているが、冷却水当たり面及び冷却水流れ抑制壁は形成されていない形態（以下、本発明の第一（Ｂ）の形態のシリンダボア壁の保温具とも記載する。）と、がある。
【０１１９】
本発明の第一（Ａ）の形態のシリンダボア壁の保温具は、冷却水供給口から溝状冷却水流路内に流れ込んできた冷却水が、支持部に当たる位置において、冷却水が溝状冷却水流路内に流れ込む方向に対する支持部の背面側の傾きが比較的大きくなるシリンダブロックに設置されるシリンダボア壁の保温具である。そして、本発明の第一（Ａ）の形態のシリンダボア壁の保温具が設置されるシリンダブロックでは、冷却水供給口から溝状冷却水流路内に流れ込んでくる冷却水は、支持部の背面側の冷却水当たり面に強く当たり、その後、冷却水流れ抑制壁の存在により、冷却水流れ抑制壁が形成されている方向とは反対側に流れる。
【０１２０】
本発明の第一（Ａ）の形態のシリンダボア壁の保温具では、背面側に傾斜壁が形成されている支持部各ボア部の、冷却水供給口から供給される冷却水が最初に当たる位置に、冷却水当たり面が形成されており、且つ、その冷却水当たり面の、冷却水が流れて行く側とは反対側の部分を囲むように、冷却水流れ抑制壁が形成されている。
【０１２１】
本発明の第一（Ａ）の形態のシリンダボア壁の保温具に係る冷却水当たり面は、シリンダブロックの外から供給される冷却水が最初に当たる面である。図１に示す形態例では、図１に示す位置に、冷却水供給口１５があるが、内燃機関の種類により、冷却水供給口の位置は変わる。そのため、冷却水当たり面が形成される位置は、本発明のシリンダボア壁の保温具が設置されるシリンダブロックの冷却水供給口の形成位置合わせて、適宜選択される。
【０１２２】
本発明の第一（Ａ）の形態のシリンダボア壁の保温具に係る冷却水流れ抑制壁は、冷却水当たり面に当たった冷却水が、冷却水流れ方向とは反対方向に流れず且つ傾斜壁に向かって流れるようにする壁である。そのため、冷却水流れ抑制壁は、冷却水当たり面の、冷却水が流れて行く側とは反対側の部分を囲むように形成されている。つまり、冷却水当たり面の、冷却水が流れて行く側とは反対側部分の上側と横側と下側に、壁が形成されている。図５に示す形態例では、冷却水の当たり面の、冷却水が流れていく側とは反対側の横側の全てに、冷却水流れ抑制壁の横側部２４１が、冷却水の当たり面の下側の全てに冷却水流れ抑制壁の下側部２４２が、冷却水の当たり面の上側の半分程度に冷却水流れ抑制壁の上側部２４３が形成されているが、これに制限されず、冷却水当たり面の冷却水が流れていく側とは反対側の部分が、冷却水流れ抑制壁により囲まれる程度は、本発明の効果を奏する範囲で、適宜選択される。また、図５に示す形態例は、冷却水流れ抑制壁は、横から見たときに、各壁部分は全て直線状の形状であるが、これに制限されない。例えば、図４６に示す形態例では、冷却水当たり面２９ｂの、冷却水が流れていく側とは反対側に、横から見たときに略Ｃ字状の曲線状の冷却水流れ抑制壁２４ｂが形成されている。
【０１２３】
冷却水流れ抑制壁は、溝状冷却水流路内に供給された冷却水が、冷却水供給口に近傍にある冷却水排出口に、直ぐに流れ込んでしまうのを防止する部位でもある。
【０１２４】
本発明の第一（Ａ）の形態のシリンダボア壁の保温具において、傾斜壁は、冷却水当たり面に当たった後、冷却水流れ方向に流れ出した冷却水が、冷却水通過口に向かって流れるように、冷却水の当たり面から冷却水通過口に向かう冷却水の流れを作る壁である。傾斜壁は、冷却水当たり面の近傍を始点として、冷却水の当たり面の近傍から上り傾斜で延びている。傾斜壁の数は、支持部に形成される冷却水通過口の数に応じて、適宜選択される。傾斜壁の傾斜角度は、支持部に形成される冷却水通過口の位置により、適宜選択される。傾斜壁の終点は、本発明の効果を奏する範囲で、適宜選択される。図５に示す形態例では、傾斜壁３０ａ、３０ｂは、ボア間部の近傍まで延びており、傾斜壁３０ａは、誘導壁２６ａの下端と繋がっている。傾斜壁は、誘導壁に繋がっていても、繋がっていなくてもよい。なお、本発明において、上り傾斜とは、冷却水が流れる方向に進むに従って位置が高くなることを指す。
【０１２５】
本発明の第一（Ｂ）の形態のシリンダボア壁の保温具は、冷却水供給口から供給された冷却水の一部が支持部に当たるシリンダブロックであり、冷却水供給口から供給された冷却水の一部が支持部に当たる位置において、冷却水が溝状冷却水流路内に流れ込む方向に対する支持部の背面側の傾きが比較的小さくなるシリンダブロックに設置されるシリンダボア壁の保温具である。そして、本発明の第一（Ｂ）の形態のシリンダボア壁の保温具が設置されるシリンダブロックでは、冷却水供給口から供給された冷却水の一部が支持部の背面側に当たるものの、強く当たらず、且つ、冷却水供給口から供給された冷却水の多くが、支持部と溝状冷却水流路のシリンダボア側の壁面とは反対側の壁面との間を通り抜けるように流れる。
【０１２６】
本発明の第一（Ｂ）の形態のシリンダボア壁の保温具に係る傾斜壁は、冷却水供給口から流れ込んでくる冷却水が支持部に最初に当たる位置近傍を始点として、上り傾斜で延びている。図４４に示す形態例では、図４４に示す位置に、冷却水供給口４４があるが、内燃機関の種類により、冷却水供給口の位置は変わる。そのため、傾斜壁の始点の位置は、本発明のシリンダボア壁の保温具が設置されるシリンダブロックの冷却水供給口の形成位置合わせて、適宜選択される。
【０１２７】
そして、本発明の第一（Ｂ）の形態のシリンダボア壁の保温具において、傾斜壁は、冷却水供給口から流れ込んでくる冷却水が、冷却水通過口に向かって流れるように、支持部に冷却水が最初に当たる位置近傍から冷却水通過口に向かう冷却水の流れを作る壁である。傾斜壁は、冷却水供給口から流れ込んでくる冷却水が支持部に最初に当たる位置近傍を始点として、上り傾斜で延びている。傾斜壁の数は、支持部に形成される冷却水通過口の数に応じて、適宜選択される。傾斜壁の傾斜角度は、支持部に形成される冷却水通過口の位置により、適宜選択される。傾斜壁の終点は、本発明の効果を奏する範囲で、適宜選択される。図３６に示す形態例では、傾斜壁５０ａ、５０ｂ、５０ｃは、ボア間部の近傍まで延びており、傾斜壁５０ａは、誘導壁４６ａの下端と繋がっている。傾斜壁は、誘導壁に繋がっていても、繋がっていなくてもよい。
【０１２８】
本発明の第一の形態のシリンダボア壁の保温具には、支持部ボア間部の上部に、冷却水通過口が形成されている。冷却水通過口は、支持部の背面側の冷却水が、支持部の内側に通り抜ける通過口である。そして、冷却水通過口の近傍には、誘導壁が形成されている。誘導壁は、冷却水の当たり面から冷却水通過口に向かって流れてくる冷却水が、冷却水通過口に流れ込むように、冷却水を誘導するための壁である。冷却水通過口には、斜め下から冷却水が向かってくるので、図４５（Ａ）に示す誘導壁２６ｄように、冷却水通過口の冷却水流れ方向側の横側に誘導壁があれば、冷却水通過口に向かって流れてくる冷却水を、冷却水通過口の冷却水流れ方向側の横側にある誘導壁で、堰き止めることができるので、冷却水を、冷却水通過口２５に流れ込ませることができる。よって、誘導壁は、少なくとも、冷却水流れ方向側の横側に壁を有していればよい。また、誘導壁としては、図４５（Ｂ）に示す誘導壁２６ｅように、冷却水通過口の上側に誘導壁上側部２６１ｅと冷却水流れ方向側の横側に誘導壁横側部２６２ｅとを有する形態例が挙げられる。冷却水は、冷却水通過口に向かって、斜め下から流れてくるので、冷却水通過口の流れ方向の横側にある誘導壁横側部に加え、冷却水通過口の上側に、誘導壁上側部があることにより、冷却水を、冷却水通過口に流れ込ませる効果が高まる。ここで、冷却水通過口の横側に加えて上側にも誘導壁を形成させることは、冷却水の圧力損失が大きくなることに繋がるため、本発明のシリンダボア壁の保温具において、誘導壁を、冷却水通過口の流れ方向側の横側のみに形成させるか、あるいは、誘導壁を、冷却水通過口の流れ方向側の横側及び上側に形成させるかは、適宜選択される。つまり、圧力損失を増大させないことに重きを置く場合には、冷却水通過口の流れ方向側の横側のみに誘導壁を形成させ、また、圧力損失の増大よりも冷却効率に重きを置く場合には、冷却水通過口の流れ方向側の横側及び上側に誘導壁を形成させる。また、冷却水当たり面から冷却水通過口に向かって流れてくる冷却水には、冷却水通過口より少し下方を流れるものもある。そこで、図４５（Ｃ）に示すように、冷却水通過口の冷却水流れ方向側の横側の誘導壁横部２６２の壁の下端に向かって上り傾斜で延びる呼び込み壁２６３があると、冷却水通過口より少し下方を流れ通過する冷却水を、冷却水通過口２５に集めることができる。よって、誘導壁が、冷却水通過口の冷却水流れ方向側の誘導壁横部の下端に向かって上り傾斜の呼び込み壁を有することが、冷却水通過口に流れ込む冷却水の量を多くすることができる点で、好ましい。なお、呼び込み壁の有無は、保温具の使用目的等に応じて、適宜選択される。呼び込み壁は、誘導壁の下端に繋がっていてもよいし、誘導壁の下端の近傍まで延びていれば、繋がっていなくてもよく、呼び込み壁が誘導壁の下端に繋がっていることが好ましい。
【０１２９】
本発明の第一の形態のシリンダボア壁の保温具が、シリンダロックの溝状冷却水流路に設置されている状態で、溝状冷却水流路に冷却水が供給されると、冷却水が溝状冷却水流路内に供給される位置にある支持部各ボア部の背面側に形成されている傾斜壁と、支持部各ボア間部の上部に形成されている冷却水通過口と、冷却水通過口の近傍に形成されている誘導壁により、溝状冷却水流路に供給された冷却水が、冷却水通過口に向かって流れ、冷却水通過口に流れ込み、更に、冷却水通過口を通り抜けて、各シリンダボアのボア壁の境界及びその近傍の上部に当たる。冷却水供給口から支持部の背面側を流れ、冷却水通過口に向かって流れてくる冷却水は、温度が低く、また、各シリンダボアのボア壁の境界及びその近傍の上部は、溝状冷却水流路のシリンダボア側の壁面のうち、最も温度が高くなる部分であるので、本発明のシリンダボア壁の保温具によれば、冷却水供給口から冷却水通過口に向かって流れてくる温度が低い冷却水を、溝状冷却水流路のシリンダボア側の壁面のうち、最も温度が高くなる部分に当てることができるので、冷却効率が高くなる。特に、ドリルパスと呼ばれるボア間壁内に形成される冷却水の通過孔が形成されている場合には、ドリルパスの開口が、各シリンダボアのボア壁の境界及びその近傍の上部にあるので、この場合には、温度の低い冷却水が、各シリンダボア壁のボア壁の境界及びその近傍の上部に当たることにより、この部分を冷却するばかりでなく、冷却水が効率よくドリルパス内に流れるため、ボア間壁を温度の低い冷却水で直接冷却することができる。そのため、冷却効率が高くなる。
【０１３０】
本発明の第二の形態のシリンダボア壁の保温具は、シリンダボアを有する内燃機関のシリンダブロックの溝状冷却水流路に設置され、周方向に見たときに、全シリンダボアのボア壁の周方向全部又は全シリンダボアのボア壁のうちの周方向の一部を保温するための保温具であり、
上から見たときに円弧形状を有し、該溝状冷却水流路のシリンダボア側の壁面を保温するための各ボア壁保温部と、該保温具の設置位置の該溝状冷却水流路の形状に沿う形状を有し、該各ボア壁保温部が固定される支持部と、を有し、
該各ボア壁保温部は、該溝状冷却水流路のシリンダボア側の壁面に接触し、該溝状冷却水流路のシリンダボア側の壁面を覆うためのゴム部材と、該ゴム部材の背面側に設けられ、該ゴム部材全体を背面側から該溝状冷却水流路のシリンダボア側の壁面に向かって押し付けるための背面押し付け部材と、該溝状冷却水流路のシリンダボア側の壁面に向かって、該背面押し付け部材が該ゴム部材を押し付けるように付勢する弾性部材と、を有し、
該各ボア壁保温部が固定される支持部各ボア部には、該弾性部材が該支持部の内側から背面側に抜けるための開口が形成されており、
支持部ボア間部の上部の少なくとも一箇所に、該支持部の背面側の冷却水が内側に通り抜けるための冷却水通過口が形成されており、
該支持部は、該冷却水通過口近傍に、該冷却水通過口に冷却水が流れ込むように冷却水を誘導する誘導壁と、該誘導壁に向かって上り傾斜で延びる呼び込み壁と、を有し、
該各ボア壁保温部は、円弧方向の中央又は中央近傍のみが、該支持部に固定されていること、
を特徴とするシリンダボア壁の保温具である。
【０１３１】
本発明の第二の形態のシリンダボア壁の保温具は、内燃機関のシリンダブロックの溝状冷却水流路に設置される。本発明の第二の形態のシリンダボア壁の保温具が設置されるシリンダブロックは、本発明の第一の形態のシリンダボア壁の保温具が設置されるシリンダブロックと同様に、シリンダボアが直列に２つ以上並んで形成されているオープンデッキ型のシリンダブロックである。
【０１３２】
本発明の第二の形態のシリンダボア壁の保温具が設置される位置は、本発明の第一の形態のシリンダボア壁の保温具と同様に、シリンダボア壁の保温具が設置される内燃機関の構造が、シリンダボアの溝状冷却水流路の中下部に相当する位置が、ピストンの速さが速くなる位置である場合、溝状冷却水流路の中下部にシリンダボア壁の保温具を設置することが好ましく、また、シリンダボア壁の保温具が設置される内燃機関の構造が、ピストンの速さが速くなる位置が、シリンダボアの溝状冷却水流路の下部に当たる位置である場合、溝状冷却水流路の下部にシリンダボア壁の保温具を設置することが好ましい。
【０１３３】
本発明の第二の形態のシリンダボア壁の保温具は、溝状冷却水流路のシリンダボア側の壁面を保温するための保温部と、保温部が固定される支持部と、を有する。そして、本発明の第二の形態のシリンダボア壁の保温具は、周方向に見たときに、溝状冷却水流路のシリンダボア側の壁面の全部又は溝状冷却水流路のシリンダボア側の壁面のうちの一部を保温するための保温具である。つまり、本発明の第二の形態のシリンダボア壁の保温具は、周方向に見たときに、全シリンダボアのボア壁を周方向全部又は全シリンダボアのボア壁を周方向の一部保温するための保温具である。本発明の第二の形態のシリンダボア壁の保温具のとしては、例えば、図１５に示す形態例のように、全シリンダボアのボア壁のうち片側の一部を保温するための保温具や、全シリンダボアのボア壁のうちの全部を保温するための保温具や、全シリンダボアのボア壁の一方の片側半分と他方の片側の一部を保温するための保温具が挙げられる。
【０１３４】
本発明の第二の形態のシリンダボア壁の保温具では、各ボア壁保温部は、各ボア壁保温部で保温しようとする各シリンダボアのボア壁毎に設置される。各ボア壁保温部の数及び設置範囲は、各ボア壁保温部で保温しようとする各シリンダボアのボア壁の数及び保温部位によって、適宜選択される。本発明の第二の形態のシリンダボア壁の保温具では、本発明の第一の形態のシリンダボア壁の保温具と同様に、１つの支持部各ボア部に１つの各ボア壁保温部が設置されていてもよいし、１つの支持部各ボア部に２つの各ボア壁保温部が設置されていてもよいし、１つの支持部各ボア部に３つ以上の各ボア壁保温部が設置されていてもよいし、あるいは、これらの組み合わせであってもよいし、あるいは、支持部各ボア部の一部に各ボア壁保温部が設置されていないものがあってもよい。また、本発明の第二の形態のシリンダボア壁の保温具では、本発明の第一の形態のシリンダボア壁の保温具と同様に、接触面側から見たときに、１つの支持部各ボア部の略全体に各ボア壁保温具が設置されていてもよいし、１つの支持部各ボア部の一部分に各ボア壁保温具が設置されていてもよいし、あるいは、これらの組み合わせであってもよい。
【０１３５】
また、支持部は、各ボア壁保温部が固定されて支持される支持部材であり、各ボア壁保温部が固定されることにより、各ボア壁保温部の位置が溝状冷却水流路内でずれないように、各ボア壁保温部の位置を定める役割をするので、支持部は、上から見たときに、本発明の第二の形態のシリンダボア壁の保温具が設置される溝状冷却水流路に沿う形状を有する。例えば、支持部の形状としては、シリンダブロックの溝状冷却水流路の全部に対応する形状（すなわち、シリンダボア壁を一周囲む形状）、片側半分に対応する形状、片側の一部に対応する形状、一方の片側半分と、それに繋がる他方の片側の一部に対応する形状、一方の片側半分の一部と、それに繋がる他方の片側の一部に対応する形状等が挙げられる。
【０１３６】
本発明の第二の形態のシリンダボア壁の保温具に係る各ボア壁保温部は、ゴム部材と、背面押し付け部材と、弾性部材と、を有する。本発明の第二の形態のシリンダボア壁の保温具に係る各ボア壁保温部、ゴム部材、背面押し付け部材、弾性部材は、本発明の第一の形態のシリンダボア壁の保温具に係る各ボア壁保温部、ゴム部材、背面押し付け部材、弾性部材と同様である。
【０１３７】
本発明の第二の形態のシリンダボア壁の保温具では、溝状冷却水流路のシリンダボア側の壁面の方に、ゴム部材の接触面が向き、ゴム部材の接触面が、溝状冷却水流路のシリンダボア側の壁面に接触できるように、各ボア壁保温部が支持部に固定されている。また、本発明の第二の形態のシリンダボア壁の保温具の背面側では、各ボア壁保温部に付設されている弾性部材が、溝状冷却水流路のシリンダボア側の壁面とは反対側の壁面に接触できるように、支持部の開口を通り抜けて、ゴム部材とは反対側に向けて張り出している。
【０１３８】
支持部に固定される各ボア壁保温部の数は、各ボア壁保温部により保温しようとする各シリンダボアのボア壁の数、保温部位により、適宜選択される。
【０１３９】
支持部は、溝状冷却水流路内での各ボア壁保温部の位置がずれないように、各ボア壁保温部が固定される部材であるので、本発明のシリンダボア壁の保温具の設置位置の溝状冷却水流路に沿った形状をしており、上から見たときに、全シリンダボアを一周囲む形状又は複数の円弧が連続する形状に成形されている。支持部は、合成樹脂製、金属製等が挙げられる。支持部は、合成樹脂製が好ましく、合成樹脂製の支持部は、通常、合成樹脂の射出成形により、冷却水流れ仕切り部材等の支持部に付設される部材と共に、一体成形されて作製される。支持部の材料は、耐熱性及び耐ＬＬＣ性を有していれば、特に制限されず、シリンダボアのボア壁の保温具やウォータージャケットスペーサに用いられる合成樹脂、金属材等であればよい。
【０１４０】
支持部には、支持部より溝状冷却水流路のシリンダボア側の壁面側にある各ボア壁保温部に付設されている弾性部材が、溝状冷却水流路のシリンダボア側の壁面とは反対側の壁面に接することができるように、弾性部材が通り抜ける開口部が形成されている。
【０１４１】
本発明の第二の形態のシリンダボア壁の保温具は、支持部各ボア部の全てに各ボア壁保温部が設置されているものであっても、全支持部各ボア部のうちの一部に各ボア壁保温部が設置されているものであってもよい。全支持部各ボア部のうちの一部に各ボア壁保温部が設置されている本発明のシリンダボア壁の保温具の形態としては、例えば、支持部の形状が、全シリンダボアのボア壁を一周囲む形状であり、各ボア壁保温部が、全支持部各ボア部のうちの一部に設置されている保温具や、支持部の形状が、全シリンダボアのボア壁のうち片側半分に対応する形状であり、各ボア壁保温部が、全支持部各ボア部のうちの一部に設置されている保温具が挙げられる。また、全支持部各ボア部のうちの全部に各ボア壁保温部が設置されている本発明の第二の形態のシリンダボア壁の保温具の形態としては、例えば、支持部の形状が、全シリンダボアのボア壁を一周囲む形状であり、各ボア壁保温部が、全支持部各ボア部のうちの全部に設置されている保温具が挙げられる。
【０１４２】
本発明の第二の形態のシリンダボア壁の保温具において、各ボア壁保温部が支持部に固定される範囲、具体的には、上から見たときの円弧方向の固定部分の長さ及び横から見たときの上下方向の固定部分の長さは、本発明の効果を奏する範囲で、適宜選択される。
【０１４３】
本発明の第二の形態のシリンダボア壁の保温具の支持部各ボア部のいずれにも、背面側に傾斜壁は形成されていない。
【０１４４】
本発明の第二の形態のシリンダボア壁の保温具には、支持部ボア間部の上部に、冷却水通過口が形成されている。冷却水通過口は、支持部の背面側の冷却水が、支持部の内側に通り抜ける通過口である。冷却水通過口の近傍には、冷却水通過口に向かって流れてくる冷却水が、冷却水通過口に流れ込むように、冷却水を誘導するための誘導壁が形成されている。本発明の第二の形態のシリンダボア壁の保温具では、誘導壁は、冷却水通過口の上側に形成されている上部壁と、冷却水通過口の冷却水の流れ方向の横側に形成されている横側壁と、を有する。本発明の第二の形態のシリンダボア壁の保温具は、溝状冷却水流路内に流れ込んできた冷却水が、勢いよく流れる側とは反対側の片側半分の溝状冷却水流路に設置される。そのため、本発明の第二の形態のシリンダボア壁の保温具の支持部の背面側では、冷却水はゆっくりと流れている。そして、シリンダブロックには、各シリンダボアのボア壁の境界の上部からシリンダヘッドのボア間壁に抜けるドリルパスと呼ばれる冷却水の通過孔が設けられている場合には、本発明の第二の形態のウシリンダボア壁の保温具の支持部の背面側の溝状冷却水流路には、各シリンダボアのボア壁の境界の上部、つまり、ボア間部の上部に形成されている冷却水通過口に向かって、緩やかな冷却水の流れが生じている。そして、本発明の第二の形態のシリンダボア壁の保温具では、誘導壁の横側壁に向かって上り傾斜で延びる呼び込み壁が形成されている。呼び込み壁により、冷却水通過口の下側を流れる冷却水は、冷却水通過口に向かってくる冷却水と共に、冷却水通過口の方に集められ、誘導壁によって、冷却水通過口に流れ込む。そのため、本発明の第二の形態のシリンダボア壁の保温具によれば、背面側を流れる冷却水を集めて、ドリルパスの入り口に流れ込ませることができるので、冷却効率が高くなる。呼び込み壁は、誘導壁の下端に繋がっていてもよいし、誘導壁の下端の近傍まで延びていれば、繋がっていなくてもよく、呼び込み壁が誘導壁の下端に繋がっていることが好ましい。
【０１４５】
なお、図２０及び図２１に示す形態例では、シリンダブロックの溝状冷却水流路の一方の片側半分に本発明の第一の形態のシリンダボア壁の保温具が設置され、且つ、他方の片側半分に本発明の第二の形態のシリンダボア壁の保温具が設置されているが、これに限定されず、シリンダブロックの溝状冷却水流路に、本発明の第一の形態のシリンダボア壁の保温具のみが設置されていてもよいし、あるいは、溝状冷却水流路に、本発明の第二の形態のシリンダボア壁の保温具のみが設置されていてもよいし、あるいは、溝状冷却水流路の一方の片側半分に本発明の第一の形態のシリンダボア壁の保温具が設置され、且つ、他方の片側半分に本発明の第二の形態のシリンダボア壁の保温具が設置されていてもよいし、あるいは、溝状冷却水流路の一方の片側半分に本発明の第一の形態のシリンダボア壁の保温具が設置され、且つ、他方の片側半分には本発明のシリンダボア壁の保温具以外のシリンダボア壁の保温具又はウォータージャケットスペーサーが設置されていてもよいし、あるいは、溝状冷却水流路の一方の片側半分に本発明の第二の形態のシリンダボア壁の保温具が設置され、且つ、他方の片側半分には本発明のシリンダボア壁の保温具以外のシリンダボア壁の保温具又はウォータージャケットスペーサーが設置されていてもよいし、あるいは、後述する本発明の第一の形態のシリンダボア壁の保温具及び本発明の第二の形態のシリンダボア壁の保温具を組み合わせた形態のシリンダボア壁の保温具が設置されていてもよい。
【０１４６】
本発明の第一の形態のシリンダボア壁の保温具及び本発明の第二の形態のシリンダボア壁の保温具としては、周方向に見たときに、支持部の形状が溝状冷却水流路の全周に沿う形状であり、且つ、本発明の第一の形態のシリンダボア壁の保温具と本発明の第二の形態のシリンダボア壁の保温具との組み合わせのシリンダボア壁の保温具が挙げられる。図４７〜図５０に示す形態例のシリンダボア壁の保温具３６ｅは、支持部の形状が溝状冷却水流路の全周に沿う形状であり、且つ、冷却水が溝状冷却水流路内に供給される位置にある各ボア部５６１に傾斜壁が形成されており、冷却水の流れが強い方の片側半分の溝状冷却水流路に設置されるボア間部の上部には、冷却水通過口４５ａ、４５ｂ、４５ｃ及び誘導壁４６ａ、４６ｂ、４６ｃが形成されており、必要に応じて設けられる呼び込み壁４６３が形成されており、且つ、冷却水の流れが強い方とは反対側の片側半分の溝状冷却水流路に設置されるボア間部の上部には、冷却水通過口４６ｄ、４６ｅ、４６ｆ、冷却水通過口の上側の上側壁と冷却水通過口の流れ方向の横側の横側壁とを有する誘導壁、及び呼び込み壁が形成されている。また、冷却水の流れが強い方とは反対側の片側半分の溝状冷却水流路の冷却水供給口の手前には、冷却水流れ変更部材６６が形成されている。
【０１４７】
本発明の第一の形態のシリンダボア壁の保温具及び本発明の第二の形態のシリンダボア壁の保温具を組み合わせた形態としては、つまり、溝状冷却水流路の全周に沿う形状であり、一方の片側半分に本発明の第一の形態のシリンダボア壁の保温具の特徴を有し、且つ、他方の片側半分に本発明の第二の形態のシリンダボア壁の保温具の特徴を有するシリンダボア壁の保温具は、シリンダボアを有する内燃機関のシリンダブロックの溝状冷却水流路に設置され、周方向に見たときに、全シリンダボアのボア壁の周方向全部を保温するための保温具であり、
上から見たときに円弧形状を有し、該溝状冷却水流路のシリンダボア側の壁面を保温するための各ボア壁保温部と、該保温具の設置位置の該溝状冷却水流路の形状に沿う形状を有し、該各ボア壁保温部が固定される支持部と、を有し、
該各ボア壁保温部は、該溝状冷却水流路のシリンダボア側の壁面に接触し、該溝状冷却水流路のシリンダボア側の壁面を覆うためのゴム部材と、該ゴム部材の背面側に設けられ、該ゴム部材全体を背面側から該溝状冷却水流路のシリンダボア側の壁面に向かって押し付けるための背面押し付け部材と、該溝状冷却水流路のシリンダボア側の壁面に向かって、該背面押し付け部材が該ゴム部材を押し付けるように付勢する弾性部材と、を有し、
該各ボア壁保温部が固定される支持部各ボア部には、該弾性部材が該支持部の内側から背面側に抜けるための開口が形成されており、
冷却水の流れが強い方の片側半分の溝状冷却水流路に設置される支持部ボア間部の上部の少なくとも一箇所に、該支持部の背面側の冷却水が内側に通り抜けるための冷却水通過口が形成されており、
該冷却水の流れが強い方の片側半分の溝状冷却水流路に設置される支持部は、該冷却水通過口近傍に、該冷却水通過口に冷却水が流れ込むように冷却水を誘導する誘導壁を有し、必要に応じて、更に、該誘導壁に向かって上り傾斜で延びる呼び込み壁を有し、該溝状冷却水流路に冷却水が供給される位置の支持部の背面側に、上り傾斜で延び、該冷却水通過口に向かう冷却水の流れを作る傾斜壁を有し、
冷却水の流れが強い方とは反対側の片側半分の溝状冷却水流路に設置される支持部ボア間部の上部の少なくとも一箇所に、該支持部の背面側の冷却水が内側に通り抜けるための冷却水通過口が形成されており、
該冷却水の流れが強い方とは反対側の片側半分の溝状冷却水流路に設置される支持部は、該冷却水通過口近傍に、該冷却水通過口に冷却水が流れ込むように冷却水を誘導する誘導壁と、該誘導壁に向かって上り傾斜で延びる呼び込み壁と、を有し、
該各ボア壁保温部は、円弧方向の中央又は中央近傍のみが、該支持部に固定されていること、
を特徴とするシリンダボア壁の保温具である。支持部は、合成樹脂製、金属製等が挙げられる。支持部は、合成樹脂製が好ましく、合成樹脂製の支持部は、通常、合成樹脂の射出成形により、冷却水流れ仕切り部材等の支持部に付設される部材と共に、一体成形されて作製される。支持部の材料は、耐熱性及び耐ＬＬＣ性を有していれば、特に制限されず、シリンダボアのボア壁の保温具やウォータージャケットスペーサに用いられる合成樹脂、金属材等であればよい。呼び込み壁は、誘導壁の下端に繋がっていてもよいし、誘導壁の下端の近傍まで延びていれば、繋がっていなくてもよく、呼び込み壁が誘導壁の下端に繋がっていることが好ましい。
【０１４８】
本発明のシリンダボア壁の保温具（本発明の第一の形態のシリンダボア壁の保温具及び本発明の第二の形態のシリンダボア壁の保温具）は、支持部の背面側の上部に、冷却水の流れ方向に平行に延びる横リブを有することができる。本発明のシリンダボア壁の保温具が、背面側の上部に、冷却水の流れ方向に平行に延びる横リブを有することにより、溝状冷却水流路の上部を流れる冷却水が、中下部に下がってくるのを防ぐことができる。背面側の上部に形成される冷却水の流れ方向に平行に延びる横リブの上下方向の形成位置、冷却水の流れ方向の形成位置及び長さ等は、適宜選択される。
【０１４９】
本発明のシリンダボア壁の保温具（本発明の第一の形態のシリンダボア壁の保温具及び本発明の第二の形態のシリンダボア壁の保温具）は、ウォータージャケットスペーサーの上方へのずれを防止するために支持部に形成されるシリンダヘッド当接部や、その他の部位や部材を有することもできる。また、本発明のシリンダボア壁の保温具は、その他の冷却水の流れを調節するための部材等を有することもできる。
【０１５０】
本発明の内燃機関は、シリンダブロックの溝状冷却水流路の全部又は一部に、本発明の第一の形態のシリンダボア壁の保温具、本発明の第二の形態のシリンダボア壁の保温具又は本発明の第一の形態のシリンダボア壁の保温具と本発明の第二の形態のシリンダボア壁の保温具とを組み合わせた形態のシリンダボア壁の保温具が、少なくとも１つ設置されていることを特徴とする内燃機関である。
【０１５１】
本発明の内燃機関は、シリンダブロックの溝状冷却水流路の一方の片側半分に、第一の形態のシリンダボア壁の保温具が設置されており、且つ、シリンダブロックの溝状冷却水流路の他方の片側半分に、第二の形態のシリンダボア壁の保温具が設置されていることを特徴とする内燃機関。
【０１５２】
本発明の内燃機関には、シリンダブロックの溝状冷却水流路の全部又は一部に、本発明の第一の形態のシリンダボア壁の保温具又は本発明の第二の形態のシリンダボア壁の保温具が設置されており、本発明の第一の形態のシリンダボア壁の保温具又は本発明の第二の形態のシリンダボア壁の保温具が設置されていない溝状冷却水流路に、本発明のウォータージャケットスペーサー以外のウォータージャケットスペーサー又はシリンダボア壁の保温具が設置されていてもよい。
【０１５３】
本発明の内燃機関は、本発明のシリンダボア壁の保温具が設置されていることを特徴とする内燃機関である。
【０１５４】
本発明の自動車は、本発明の内燃機関を有することを特徴とする自動車である。
【産業上の利用可能性】
【０１５５】
本発明によれば、シリンダブロックの溝状冷却水流路のシリンダボア側の壁面への保温具の密着性を高めることができるので、溝状冷却水流路のシリンダボア側の壁面の保温性が高くでき、且つ、温度の低い冷却水を、各シリンダボア壁のボア壁の境界及びその近傍の上部に当てることができるので、冷却効率が高くなる。そのため、内燃機関のシリンダボア壁の上側と下側との変形量の違いを少なくすることができるので、ピストンの摩擦を低くすることができるため、省燃費の内燃機関を提供できる。加えて、エンジンが従来に比べ高温になる空燃比が大きい内燃機関の冷却効率を高くすることができる。
【符号の説明】
【０１５６】
５、５５          縦リブ
６                接触面
８                最下部
９                最上部
１０              中間近傍の位置
１１              シリンダブロック
１２              ボア
１２ａ１、１２ａ２  端ボア
１２ｂ１、１２ｂ２  中間ボア
１３              シリンダボア壁
１４              溝状冷却水流路
１５、４４        冷却水供給口
１６              冷却水排出口
１７              溝状冷却水流路１４のシリンダボア側の壁面
１７ａ、１７ｂ    片側半分側の壁面
１８              溝状冷却水流路１４のシリンダボア側の壁面とは反対側の壁面
２０ａ、２０ｂ    片側半分
２１ａ、２１ｂ    片側半分のボア壁
２３ａ１、２３ａ２、２３ｂ１、２３ｂ２  各シリンダボアのボア壁
２４、２４ｂ      冷却水流れ抑制壁
２５、２５ａ、２５ｂ、２５ｃ、２５ｄ、２５ｅ、４５ａ、４５ｂ、４５ｃ  冷却水通過口
２６、２６ａ、２６ｂ、２６ｃ、２６ｄ、２６ｅ、４６ａ、４６ｂ、４６ｃ  誘導壁
２９、２９ｂ      冷却水当たり面
３０、３０ａ、３０ｂ、５０ａ、５０ｂ、５０ｃ  傾斜壁
２７、２７ａ      先端
２８              他端側
３０              ロ字状当て板
３１、３１ｃ、３１ｇ  ゴム部材
３２、４７        背面側押し付け部材
３３、３３ａ、３３ｇ  金属板バネ付設部材
３４ａ、３４ｂ、３４ｃ  支持部
３５、３５ｃ、３５ｄ１、３５ｄ２、３５ｅ、３５ｆ  各ボア壁保温部
３６ａ、３６ｂ、３６ｃ、３６ｄ  シリンダボア壁の保温具
３７、４０、４１、４０ｄ  折り曲げ部
３９、３９ａ      金属板バネ
４２              開口
４３              金属板
４５              金属板の打ち抜き体
４８              支持部各ボア部の境界
５１              冷却水の流れ方向
５２              冷却水の流れ方向とは反対方向
５３              冷却水
５４              支持部ボア間部
６６              冷却水流れ変更部材
１９１            ボア間壁
１９２            溝状冷却水流路のシリンダボア側の壁面の各シリンダボアのボア壁の境界
２４１            冷却水流れ抑制壁の横側部
２４２            冷却水流れ抑制壁の下側部
２４３            冷却水流れ抑制壁の上側部
２６１、２６１ｅ  誘導壁の上側部
２６２、２６２ｅ  誘導壁の横側部
２６３            誘導壁の呼び込み壁
２７１            折り返し部
３６１、３６１ｂ、５６１    傾斜壁が形成されている支持部各ボア部
３６２、３６２ａ、３６２ｂ、３６２ｃ、５６２、５６２ａ、５６２ｂ、５６２ｃ、５６２ｄ、５６２ｅ  傾斜壁が形成されていない支持部各ボア部
６６１            冷却水流れ変更壁
６６２            囲い壁
【図１】
2018131964.tif 000003
【図２】
2018131964.tif 000004
【図３】
2018131964.tif 000005
【図４】
2018131964.tif 000006
【図５】
2018131964.tif 000007
【図６】
2018131964.tif 000008
【図７】
2018131964.tif 000009
【図８】
2018131964.tif 000010
【図９】
2018131964.tif 000011
【図１０】
2018131964.tif 000012
【図１１】
2018131964.tif 000013
【図１２】
2018131964.tif 000014
【図１３】
2018131964.tif 000015
【図１４】
2018131964.tif 000016
【図１５】
2018131964.tif 000017
【図１６】
2018131964.tif 000018
【図１７】
2018131964.tif 000019
【図１８】
2018131964.tif 000020
【図１９】
2018131964.tif 000021
【図２０】
2018131964.tif 000022
【図２１】
2018131964.tif 000023
【図２２】
2018131964.tif 000024
【図２３】
2018131964.tif 000025
【図２４】
2018131964.tif 000026
【図２５】
2018131964.tif 000027
【図２６】
2018131964.tif 000028
【図２７】
2018131964.tif 000029
【図２８】
2018131964.tif 000030
【図２９】
2018131964.tif 000031
【図３０】
2018131964.tif 000032
【図３１】
2018131964.tif 000033
【図３２】
2018131964.tif 000034
【図３３】
2018131964.tif 000035
【図３４】
2018131964.tif 000036
【図３５】
2018131964.tif 000037
【図３６】
2018131964.tif 000038
【図３７】
2018131964.tif 000039
【図３８】
2018131964.tif 000040
【図３９】
2018131964.tif 000041
【図４０】
2018131964.tif 000042
【図４１】
2018131964.tif 000043
【図４２】
2018131964.tif 000044
【図４３】
2018131964.tif 000045
【図４４】
2018131964.tif 000046
【図４５】
2018131964.tif 000047
【図４６】
2018131964.tif 000048
【図４７】
2018131964.tif 000049
【図４８】
2018131964.tif 000050
【図４９】
2018131964.tif 000051
【図５０】
2018131964.tif 000052